(57)【要約】【課題】ネットワークを介した商取引において、既存の仕組みにほとんど変更を加えることなく、アイテムの購入を希望する者が、アイテムの販売を希望する者の情報を容易に取得することを可能とする手段を提供する。【解決手段】アイテムの販売者は端末装置１４を用いて管理サーバ装置１３にアクセスし、販売アイテムに関する情報の登録を行う。管理サーバ装置１３は販売アイテムの情報をＷｅｂページ内に表示する販売用のパーツを生成し、そのパーツのソースコードを端末装置１４に表示させる。アイテムの販売者は端末装置１４に表示されるパーツのソースコードを、自分のＣＧＭコンテンツの表示ページのソースコード内にコピーアンドペーストする。販売者のＣＧＭコンテンツの表示ページにはアイテムの販売情報を表示するパーツが含まれ、ＣＧＭコンテンツの読者はそのパーツをクリックし、アイテムの購入手続きを行う。【選択図】図１
2010165048.tif 000002
【特許請求の範囲】
【請求項１】
アイテムの販売者の端末装置から管理サーバ装置に対し、前記アイテムに関する情報を示すアイテムデータを送信するステップと、
前記管理サーバ装置が前記アイテムデータを記憶するステップと、
前記管理サーバ装置が、Ｗｅｂページの一部を構成するパーツの表示を指示するデータであって、前記アイテムデータの少なくとも一部の表示を指示し、前記アイテムを識別するアイテム識別データを含み、前記管理サーバ装置のネットワークにおける場所を示すアドレスデータをリンク情報として含むデータであるパーツデータを生成するステップと、
前記管理サーバ装置が、Ｗｅｂページの表示を指示するデータであって、前記パーツのソースコードの表示を指示するデータであるパーツデータ引き渡し用のページデータを生成するステップと、
前記管理サーバ装置から前記販売者の端末装置に対し、前記パーツデータ引き渡し用のページデータを送信するステップと
を備える方法。
【請求項２】
アイテムの販売者の端末装置から管理サーバ装置に対し、前記アイテムに関する情報を示すアイテムデータを送信するステップと、
前記管理サーバ装置が前記アイテムデータを記憶するステップと、
前記管理サーバ装置が、Ｗｅｂページの一部を構成するパーツの表示を指示するデータであって、前記アイテムデータの少なくとも一部の表示を指示し、前記アイテムを識別するアイテム識別データを含み、前記管理サーバ装置のネットワークにおける場所を示すアドレスデータをリンク情報として含むデータであるパーツデータを生成するステップと、
前記管理サーバ装置が、Ｗｅｂページの表示を指示するデータであって、当該Ｗｅｂページを表示する装置が有する貼り付け対象のデータを一時的に記憶するための記憶領域への前記パーツのソースコードの記憶を指示するコピー指示データを含むデータであるパーツデータ引き渡し用のページデータを生成するステップと、
前記管理サーバ装置から前記販売者の端末装置に対し、前記パーツデータ引き渡し用のページデータを送信するステップと
を備える方法。
【請求項３】
アイテムの販売者の端末装置から管理サーバ装置に対し、前記アイテムに関する情報を示すアイテムデータを送信するステップと、
前記管理サーバ装置が前記アイテムデータを記憶するステップと、
前記管理サーバ装置が、Ｗｅｂページの一部を構成するパーツの表示を指示するデータであって、前記アイテムデータの少なくとも一部の表示を指示し、前記アイテムを識別するアイテム識別データを含み、前記管理サーバ装置のネットワークにおける場所を示すアドレスデータをリンク情報として含むデータであるパーツデータを生成するステップと、
前記管理サーバ装置が、Ｗｅｂページの表示を指示するデータであって、当該Ｗｅｂページを表示する装置が記憶する一のデータに対する前記パーツのソースコードの追加を指示するペースト指示データを含むデータであるパーツデータ引き渡し用のページデータを生成するステップと、
前記管理サーバ装置から前記販売者の端末装置に対し、前記パーツデータ引き渡し用のページデータを送信するステップと
を備える方法。
【請求項４】
前記ペースト指示データは、前記パーツデータ引き渡し用のページデータに従い表示されるＷｅｂページの一部として表示される一のオブジェクトを、当該Ｗｅｂページを表示する装置のユーザがポインティングデバイスを用いて、当該Ｗｅｂページから当該装置に表示される当該Ｗｅｂページ以外の場所へドラッグアンドドロップした場合、当該ドラッグアンドドロップのドロップ先である場所により識別される前記一のデータに対し、前記パーツのソースコードの追加を指示する
請求項３に記載の方法。
【請求項５】
前記パーツデータは、前記パーツデータに従いパーツの表示を行う装置に対し、所定の条件が満たされた場合に前記管理サーバ装置に対する更新データの要求を指示する更新要求指示データを含み、
前記パーツデータは前記更新データの要求に応じて前記管理サーバ装置から送信されてくる前記更新データに応じた表示部分を含む前記パーツの表示を指示し、
前記管理サーバ装置が前記パーツデータに従いパーツの表示を行う一の装置から、前記アイテムの購入処理を指示する購入指示データを受信するステップと、
前記管理サーバ装置が前記購入指示データに応じて前記管理サーバに記憶されている前記アイテムデータを更新するステップと、
前記管理サーバ装置が、前記パーツデータに従いパーツの表示を行う前記一の装置と同じもしくは異なる装置から前記更新データの要求を受信するステップと、
前記管理サーバ装置から前記更新データの要求の送信元の装置に対し、前記管理サーバに記憶され前記購入指示データに応じて更新された前記アイテムデータの内容を示す前記更新データを送信するステップと
を備える
請求項１乃至４のいずれかに記載の方法。
【請求項６】
情報発信サーバ装置が、前記パーツデータに従い表示されるパーツを一部として含むＷｅｂページの表示を指示する情報発信用のページデータを記憶するステップと、
前記情報発信サーバ装置から購入者の端末装置に対し、前記情報発信用のページデータを送信するステップと、
前記購入者の端末装置が前記情報発信用のページデータに従いＷｅｂページを表示するステップと、
前記購入者が前記情報発信用のページデータに従い表示されるＷｅｂページに含まれる前記パーツに対し行った操作に応じて、前記購入者の端末装置から前記管理サーバ装置に対し、前記アイテムの購入処理を指示する購入指示データを送信するステップと、
前記管理サーバ装置が、前記購入指示データに応じて決済に関する所定の処理を行うステップと、
前記決済に関する所定の処理が完了した場合、前記管理サーバ装置から前記販売者の端末装置もしくは前記販売者のメールアドレス宛に、前記アイテムの購入が行われたことを通知するデータであって、前記購入者の情報を含まない購入完了通知データを送信するステップと
を備える請求項１乃至５のいずれかに記載の方法。
【請求項７】
前記購入完了通知データは前記アイテム識別データを含み、
前記購入者の端末装置から前記管理サーバ装置に対し、前記購入者の住所を示す住所データを送信するステップと、
前記決済に関する所定の処理が完了した場合、前記管理サーバ装置から配送管理サーバ装置に対し、前記アイテム識別データと前記住所データとを送信するステップと
を備える請求項６に記載の方法。
【請求項８】
前記決済に関する所定の処理は前記購入者のクレジットカードの与信限度枠から前記アイテムの購入に伴う支払金額を確保するオーソリ処理に関する処理であり、
前記購入者の端末装置から前記管理サーバ装置に対し、前記購入者が前記アイテムを受領したことを通知する受領通知データを送信するステップと、
前記管理サーバ装置が前記受領通知データを受信した場合、前記管理サーバ装置が、前記購入者のクレジットカードの決済事業者へ前記オーソリ処理において確保された支払金額を売上請求する売上処理に関する処理を行うステップと
を備える請求項６または７に記載の方法。
【請求項９】
前記販売者の端末装置から前記管理サーバ装置に送信される前記アイテムデータは、前記販売者が提供するコンテンツを公開するメディアの前記ネットワークにおける場所を示すメディアアドレスデータを含み、
前記管理サーバ装置が任意の装置から、前記管理サーバ装置に記憶されている１以上のアイテムデータの中から所定の条件を満たすアイテムデータを検索するための当該所定の条件を示す検索条件データを受信するステップと、
前記管理サーバ装置が前記検索条件データにより示される条件を満たすアイテムデータを前記管理サーバ装置に記憶されている１以上のアイテムデータの中から検索するステップと、
前記管理サーバ装置から前記検索条件データの送信元の装置に対し、前記検索するステップにおいて検索されたアイテムデータに含まれるメディアアドレスデータを送信するステップと
を備える請求項１乃至８のいずれかに記載の方法。
【請求項１０】
アイテムの販売者の端末装置から前記アイテムに関する情報を示すアイテムデータを受信する受信手段と、
前記アイテムデータを記憶する記憶手段と、
Ｗｅｂページの一部を構成するパーツの表示を指示するデータであって、前記アイテムデータの少なくとも一部の表示を指示するデータであるパーツデータを生成するパーツデータ生成手段と、
Ｗｅｂページの表示を指示するデータであって、前記パーツのソースコードの表示を指示するデータであるパーツデータ引き渡し用のページデータを生成するページデータ生成手段と、
前記販売者の端末装置に対し、前記パーツデータ引き渡し用のページデータを送信する送信手段と
を備えるサーバ装置であって、
前記パーツデータは、前記アイテムを識別するアイテム識別データを含み、前記サーバ装置のネットワークにおける場所を示すアドレスデータをリンク情報として含む
サーバ装置。
【請求項１１】
アイテムの販売者の端末装置から前記アイテムに関する情報を示すアイテムデータを受信する受信手段と、
前記アイテムデータを記憶する記憶手段と、
Ｗｅｂページの一部を構成するパーツの表示を指示するデータであって、前記アイテムデータの少なくとも一部の表示を指示するデータであるパーツデータを生成するパーツデータ生成手段と、
Ｗｅｂページの表示を指示するデータであって、当該Ｗｅｂページを表示する装置が有する貼り付け対象のデータを一時的に記憶するための記憶領域への前記パーツのソースコードの記憶を指示するコピー指示データを含むデータであるパーツデータ引き渡し用のページデータを生成するページデータ生成手段と、
前記販売者の端末装置に対し、前記パーツデータ引き渡し用のページデータを送信する送信手段と
を備えるサーバ装置であって、
前記パーツデータは、前記アイテムを識別するアイテム識別データを含み、前記サーバ装置のネットワークにおける場所を示すアドレスデータをリンク情報として含む
サーバ装置。
【請求項１２】
アイテムの販売者の端末装置から前記アイテムに関する情報を示すアイテムデータを受信する受信手段と、
前記アイテムデータを記憶する記憶手段と、
Ｗｅｂページの一部を構成するパーツの表示を指示するデータであって、前記アイテムデータの少なくとも一部の表示を指示するデータであるパーツデータを生成するパーツデータ生成手段と、
Ｗｅｂページの表示を指示するデータであって、当該Ｗｅｂページを表示する装置が記憶する一のデータに対する前記パーツのソースコードの追加を指示するペースト指示データを含むデータであるパーツデータ引き渡し用のページデータを生成するページデータ生成手段と、
前記販売者の端末装置に対し、前記パーツデータ引き渡し用のページデータを送信する送信手段と
を備えるサーバ装置であって、
前記パーツデータは、前記アイテムを識別するアイテム識別データを含み、前記サーバ装置のネットワークにおける場所を示すアドレスデータをリンク情報として含む
サーバ装置。
【請求項１３】
前記ペースト指示データは、前記パーツデータ引き渡し用のページデータに従い表示されるＷｅｂページの一部として表示される一のオブジェクトを、当該Ｗｅｂページを表示する装置のユーザがポインティングデバイスを用いて、当該Ｗｅｂページから当該装置に表示される当該Ｗｅｂページ以外の場所へドラッグアンドドロップした場合、当該ドラッグアンドドロップのドロップ先である場所により識別される前記一のデータに対し、前記パーツのソースコードの追加を指示する
請求項１２に記載のサーバ装置。
【請求項１４】
前記パーツデータは、前記パーツデータに従いパーツの表示を行う装置に対し、所定の条件が満たされた場合に前記サーバ装置に対する更新データの要求を指示する更新要求指示データを含み、
前記パーツデータは前記更新データの要求に応じて前記サーバ装置から送信されてくる前記更新データに応じた表示部分を含む前記パーツの表示を指示し、
前記受信手段は、前記パーツデータに従いパーツの表示を行う一の装置から、前記アイテムの購入処理を指示する購入指示データを受信し、
前記購入指示データに応じて前記記憶手段に記憶されている前記アイテムデータを更新する更新手段を備え、
前記受信手段は、前記パーツデータに従いパーツの表示を行う前記一の装置と同じもしくは異なる装置から前記更新データの要求を受信し、
前記送信手段は、前記受信手段が前記更新データの要求を受信した場合、当該要求の送信元の装置に対し、前記記憶手段に記憶され前記更新手段により更新された前記アイテムデータの内容を示す前記更新データを送信する
を備える請求項１０乃至１３のいずれかに記載のサーバ装置。
【請求項１５】
前記受信手段は、前記パーツデータに従い表示されるパーツを一部として含むＷｅｂページの表示を指示する情報発信用のページデータに従い当該Ｗｅｂページの表示を行う前記アイテムの購入者の端末装置から、前記購入者が当該Ｗｅｂページに含まれる前記パーツに対し行った操作に応じて当該端末装置から送信されてくる、前記アイテムの購入処理を指示する購入指示データを受信し、
前記購入指示データに応じて決済に関する所定の処理を行う決済処理手段を備え、
前記送信手段は、前記決済処理手段による前記所定の処理が完了した場合、前記販売者の端末装置もしくは前記販売者のメールアドレス宛に、前記アイテムの購入が行われたことを通知するデータであって、前記購入者の情報を含まない購入完了通知データを送信する
請求項１０乃至１４のいずれかに記載のサーバ装置。
【請求項１６】
前記購入完了通知データは前記アイテム識別データを含み、
前記受信手段は、前記購入者の端末装置から前記購入者の住所を示す住所データを受信し、
前記送信手段は、前記決済処理手段による前記所定の処理が完了した場合、配送管理サーバ装置に対し、前記アイテム識別データと前記住所データとを送信する
を備える請求項１５に記載のサーバ装置。
【請求項１７】
前記決済に関する所定の処理は前記購入者のクレジットカードの与信限度枠から前記アイテムの購入に伴う支払金額を確保するオーソリ処理に関する処理であり、
前記受信手段は、前記購入者の端末装置から前記購入者が前記アイテムを受領したことを通知する受領通知データを受信し、
前記決済処理手段は、前記受信手段により前記受領通知データが受信された場合、前記購入者のクレジットカードの決済事業者へ前記オーソリ処理において確保された支払金額を売上請求する売上処理に関する処理を行う
請求項１５または１６に記載のサーバ装置。
【請求項１８】
前記受信手段により前記販売者の端末装置から受信される前記アイテムデータは、前記販売者が提供するコンテンツを公開するメディアの前記ネットワークにおける場所を示すメディアアドレスデータを含み、
前記受信手段は、任意の装置から、前記記憶手段に記憶されている１以上のアイテムデータの中から所定の条件を満たすアイテムデータを検索するための当該所定の条件を示す検索条件データを受信し、
前記受信手段により前記検索条件データが受信された場合、前記検索条件データにより示される条件を満たすアイテムデータを前記記憶手段に記憶されている１以上のアイテムデータの中から検索する検索手段を備え、
前記送信手段は、前記検索条件データの送信元の装置に対し、前記検索手段により検索されたアイテムデータに含まれるメディアアドレスデータを送信する
請求項１０乃至１７のいずれかに記載のサーバ装置。
【請求項１９】
アイテムの販売者の端末装置から前記アイテムに関する情報を示すアイテムデータを受信する処理と、
前記アイテムデータを記憶する処理と、
Ｗｅｂページの一部を構成するパーツの表示を指示するデータであって、前記アイテムデータの少なくとも一部の表示を指示するデータであるパーツデータを生成する処理と、
Ｗｅｂページの表示を指示するデータであって、前記パーツのソースコードの表示を指示するデータであるパーツデータ引き渡し用のページデータを生成する処理と、
前記販売者の端末装置に対し、前記パーツデータ引き渡し用のページデータを送信する処理と
をコンピュータに実行させるプログラムであって、
前記パーツデータは、前記アイテムを識別するアイテム識別データを含み、前記コンピュータのネットワークにおける場所を示すアドレスデータをリンク情報として含む
プログラム。
【請求項２０】
アイテムの販売者の端末装置から前記アイテムに関する情報を示すアイテムデータを受信する処理と、
前記アイテムデータを記憶する処理と、
Ｗｅｂページの一部を構成するパーツの表示を指示するデータであって、前記アイテムデータの少なくとも一部の表示を指示するデータであるパーツデータを生成する処理と、
Ｗｅｂページの表示を指示するデータであって、当該Ｗｅｂページを表示する装置が有する貼り付け対象のデータを一時的に記憶するための記憶領域への前記パーツのソースコードの記憶を指示するコピー指示データを含むデータであるパーツデータ引き渡し用のページデータを生成する処理と、
前記販売者の端末装置に対し、前記パーツデータ引き渡し用のページデータを送信する処理と
をコンピュータに実行させるプログラムであって、
前記パーツデータは、前記アイテムを識別するアイテム識別データを含み、前記コンピュータのネットワークにおける場所を示すアドレスデータをリンク情報として含む
プログラム。
【請求項２１】
アイテムの販売者の端末装置から前記アイテムに関する情報を示すアイテムデータを受信する処理と、
前記アイテムデータを記憶する処理と、
Ｗｅｂページの一部を構成するパーツの表示を指示するデータであって、前記アイテムデータの少なくとも一部の表示を指示するデータであるパーツデータを生成する処理と、
Ｗｅｂページの表示を指示するデータであって、当該Ｗｅｂページを表示する装置が記憶する一のデータに対する前記パーツのソースコードの追加を指示するペースト指示データを含むデータであるパーツデータ引き渡し用のページデータを生成する処理と、
前記販売者の端末装置に対し、前記パーツデータ引き渡し用のページデータを送信する処理と
をコンピュータに実行させるプログラムであって、
前記パーツデータは、前記アイテムを識別するアイテム識別データを含み、前記コンピュータのネットワークにおける場所を示すアドレスデータをリンク情報として含む
プログラム。
【請求項２２】
請求項１９乃至２１のいずれかに記載のプログラムをコンピュータに読み取り可能に記録した記録媒体。
【発明の詳細な説明】
【技術分野】
【０００１】
本発明は、ネットワークを介した商取引を支援する技術に関し、より具体的には、ＣＧＭ（Ｃｏｎｓｕｍｅｒ  Ｇｅｎｅｒａｔｅｄ  Ｍｅｄｉａ）を活用した商取引を支援する技術に関する。
【背景技術】
【０００２】
インターネットおよび携帯電話の普及に伴い、近年、公衆ネットワークを介した商取引が広く利用されている。オークションサイトを利用した個人間の物品やサービス等（以下、物品、データ、サービス等、インターネットを介した商取引の対象となり得るものを総称して「アイテム」と呼ぶ）の売買は、公衆ネットワークを介した商取引の一形態である。
【０００３】
他方、近年、ＣＧＭが普及している。ＣＧＭとは、インターネット等を介して公開される、一般消費者が内容を生成していくメディアの総称であり、ブログやＳＮＳ（Ｓｏｃｉａｌ  Ｎｅｔｗｏｒｋ  Ｓｅｒｖｉｃｅ）がその代表である。
【０００４】
オークションサイトを介した商取引とブログとを関連付けたシステムを提案した先行技術文献として、例えば特許文献１がある。
【０００５】
特許文献１に記載のシステムにおいては、個々にブログサイト（ユーザサイト）を持つユーザが、自分が情報を収集したい商品に関するキーワードと、自分がオークションにおいて販売する商品に関するキーワードを各々、オークションサイト（メインサイト）に登録する。オークションサイトは個々のユーザにより登録されたそれらのキーワードのマッチングを行い、マッチングされた商品に関するオークションサイトにおける出品情報、すなわち商品の出品、入札、落札、評価等の情報を、その商品に関する情報の収集を希望するブログサイトに送信する。その結果、情報の収集を希望するユーザは、自分のブログサイトにオークションサイトから自動的に取得された出品情報を閲覧し、またそれらに自分の意見を書き込む等して、オークションサイトにおける商品に対する情報発信を容易に行うことができる。
【先行技術文献】
【特許文献】
【０００６】
【特許文献１】特開２００６−０３１６５８号公報
【発明の概要】
【発明が解決しようとする課題】
【０００７】
オークションサイトを介した商取引において、アイテムの購入を希望する者がそのアイテムの購入を行うか否かの判断を行う際に、そのアイテムの販売者の趣味・嗜好や販売者の信頼性等の情報が重視されることが多い。しかしながら、既存のオークションサイトにおいては、アイテムの販売者の趣味・嗜好、信頼性等の情報は、過去にその販売者が販売したアイテムの履歴や、それらのアイテムの購入者による販売者に対する評価、すなわち、オークションサイトにおけるその販売者の振る舞いに関する情報からしか得られない。
【０００８】
他方、ＣＧＭにおいては、ＣＧＭのコンテンツ（以下、「ＣＧＭコンテンツ」と呼ぶ）の発信者の個人的な意見や情報が公開される。従って、長期に渡り維持されているＣＧＭコンテンツの発信者に関しては、その発信者の趣味・嗜好や信頼性等の情報がその発信者のＣＧＭコンテンツを閲覧することで得られることが多い。
【０００９】
特許文献１に記載のシステムによる場合、オークションサイトにおける出品情報がブログサイトに自動掲載されるため、ブログの発信者は自動掲載された出品情報に関する自分の意見等を自分のブログに記載することにより、自分のブログの読者に対しその出品に関する商品の購入を行うか否かの判断材料を容易に提供することができる。
【００１０】
上記のように、特許文献１に記載のシステムによれば、出品物の購入を希望する者はその出品物に関するブログの発信者（出品者ではない）の意見を容易に得ることができる。しかしながら、特許文献１に記載のシステムによる場合、出品物の購入を希望する者はその出品物の出品者本人の趣味・嗜好や信頼性等の情報を容易に得ることはできない。他の従来技術においても、その点は同様である。
【００１１】
本発明は、上記の状況に鑑み、ネットワークを介した商取引において、既存の仕組みにほとんど変更を加えることなく、アイテムの購入を希望する者が、アイテムの販売を希望する者の情報を容易に取得することを可能とする手段を提供することを目的とする。
【課題を解決するための手段】
【００１２】
上記課題を達成するために、本発明は、
アイテムの販売者の端末装置から管理サーバ装置に対し、前記アイテムに関する情報を示すアイテムデータを送信するステップと、
前記管理サーバ装置が前記アイテムデータを記憶するステップと、
前記管理サーバ装置が、Ｗｅｂページの一部を構成するパーツの表示を指示するデータであって、前記アイテムデータの少なくとも一部の表示を指示し、前記アイテムを識別するアイテム識別データを含み、前記管理サーバ装置のネットワークにおける場所を示すアドレスデータをリンク情報として含むデータであるパーツデータを生成するステップと、
前記管理サーバ装置が、Ｗｅｂページの表示を指示するデータであって、前記パーツのソースコードの表示を指示するデータであるパーツデータ引き渡し用のページデータを生成するステップと、
前記管理サーバ装置から前記販売者の端末装置に対し、前記パーツデータ引き渡し用のページデータを送信するステップと
を備える方法を提供する（第１の実施態様）。
【００１３】
また、本発明は、
アイテムの販売者の端末装置から管理サーバ装置に対し、前記アイテムに関する情報を示すアイテムデータを送信するステップと、
前記管理サーバ装置が前記アイテムデータを記憶するステップと、
前記管理サーバ装置が、Ｗｅｂページの一部を構成するパーツの表示を指示するデータであって、前記アイテムデータの少なくとも一部の表示を指示し、前記アイテムを識別するアイテム識別データを含み、前記管理サーバ装置のネットワークにおける場所を示すアドレスデータをリンク情報として含むデータであるパーツデータを生成するステップと、
前記管理サーバ装置が、Ｗｅｂページの表示を指示するデータであって、当該Ｗｅｂページを表示する装置が有する貼り付け対象のデータを一時的に記憶するための記憶領域への前記パーツのソースコードの記憶を指示するコピー指示データを含むデータであるパーツデータ引き渡し用のページデータを生成するステップと、
前記管理サーバ装置から前記販売者の端末装置に対し、前記パーツデータ引き渡し用のページデータを送信するステップと
を備える方法を提供する（第２の実施態様）。
【００１４】
また、本発明は、
アイテムの販売者の端末装置から管理サーバ装置に対し、前記アイテムに関する情報を示すアイテムデータを送信するステップと、
前記管理サーバ装置が前記アイテムデータを記憶するステップと、
前記管理サーバ装置が、Ｗｅｂページの一部を構成するパーツの表示を指示するデータであって、前記アイテムデータの少なくとも一部の表示を指示し、前記アイテムを識別するアイテム識別データを含み、前記管理サーバ装置のネットワークにおける場所を示すアドレスデータをリンク情報として含むデータであるパーツデータを生成するステップと、
前記管理サーバ装置が、Ｗｅｂページの表示を指示するデータであって、当該Ｗｅｂページを表示する装置が記憶する一のデータに対する前記パーツのソースコードの追加を指示するペースト指示データを含むデータであるパーツデータ引き渡し用のページデータを生成するステップと、
前記管理サーバ装置から前記販売者の端末装置に対し、前記パーツデータ引き渡し用のページデータを送信するステップと
を備える方法を提供する（第３の実施態様）。
【００１５】
上記の第３の実施態様において、
前記ペースト指示データは、前記パーツデータ引き渡し用のページデータに従い表示されるＷｅｂページの一部として表示される一のオブジェクトを、当該Ｗｅｂページを表示する装置のユーザがポインティングデバイスを用いて、当該Ｗｅｂページから当該装置に表示される当該Ｗｅｂページ以外の場所へドラッグアンドドロップした場合、当該ドラッグアンドドロップのドロップ先である場所により識別される前記一のデータに対し、前記パーツのソースコードの追加を指示する
構成としてもよい（第４の実施態様）。
【００１６】
上記の第１乃至第４のいずれかの実施態様において、
前記パーツデータは、前記パーツデータに従いパーツの表示を行う装置に対し、所定の条件が満たされた場合に前記管理サーバ装置に対する更新データの要求を指示する更新要求指示データを含み、
前記パーツデータは前記更新データの要求に応じて前記管理サーバ装置から送信されてくる前記更新データに応じた表示部分を含む前記パーツの表示を指示し、
前記管理サーバ装置が前記パーツデータに従いパーツの表示を行う一の装置から、前記アイテムの購入処理を指示する購入指示データを受信するステップと、
前記管理サーバ装置が前記購入指示データに応じて前記管理サーバに記憶されている前記アイテムデータを更新するステップと、
前記管理サーバ装置が、前記パーツデータに従いパーツの表示を行う前記一の装置と同じもしくは異なる装置から前記更新データの要求を受信するステップと、
前記管理サーバ装置から前記更新データの要求の送信元の装置に対し、前記管理サーバに記憶され前記購入指示データに応じて更新された前記アイテムデータの内容を示す前記更新データを送信するステップと
を備える
構成としてもよい（第５の実施態様）。
【００１７】
上記の第１乃至第５のいずれかの実施態様において、
情報発信サーバ装置が、前記パーツデータに従い表示されるパーツを一部として含むＷｅｂページの表示を指示する情報発信用のページデータを記憶するステップと、
前記情報発信サーバ装置から購入者の端末装置に対し、前記情報発信用のページデータを送信するステップと、
前記購入者の端末装置が前記情報発信用のページデータに従いＷｅｂページを表示するステップと、
前記購入者が前記情報発信用のページデータに従い表示されるＷｅｂページに含まれる前記パーツに対し行った操作に応じて、前記購入者の端末装置から前記管理サーバ装置に対し、前記アイテムの購入処理を指示する購入指示データを送信するステップと、
前記管理サーバ装置が、前記購入指示データに応じて決済に関する所定の処理を行うステップと、
前記決済に関する所定の処理が完了した場合、前記管理サーバ装置から前記販売者の端末装置もしくは前記販売者のメールアドレス宛に、前記アイテムの購入が行われたことを通知するデータであって、前記購入者の情報を含まない購入完了通知データを送信するステップと
を備える
構成としてもよい（第６の実施態様）。
【００１８】
上記の第６の実施態様において、
前記購入完了通知データは前記アイテム識別データを含み、
前記購入者の端末装置から前記管理サーバ装置に対し、前記購入者の住所を示す住所データを送信するステップと、
前記決済に関する所定の処理が完了した場合、前記管理サーバ装置から配送管理サーバ装置に対し、前記アイテム識別データと前記住所データとを送信するステップと
を備える
構成としてもよい（第７の実施態様）。
【００１９】
上記の第６または第７の実施態様において、
前記決済に関する所定の処理は前記購入者のクレジットカードの与信限度枠から前記アイテムの購入に伴う支払金額を確保するオーソリ処理に関する処理であり、
前記購入者の端末装置から前記管理サーバ装置に対し、前記購入者が前記アイテムを受領したことを通知する受領通知データを送信するステップと、
前記管理サーバ装置が前記受領通知データを受信した場合、前記管理サーバ装置が、前記購入者のクレジットカードの決済事業者へ前記オーソリ処理において確保された支払金額を売上請求する売上処理に関する処理を行うステップと
を備える
構成としてもよい（第８の実施態様）。
【００２０】
上記の第１乃至第８のいずれかの実施態様において、
前記販売者の端末装置から前記管理サーバ装置に送信される前記アイテムデータは、前記販売者が提供するコンテンツを公開するメディアの前記ネットワークにおける場所を示すメディアアドレスデータを含み、
前記管理サーバ装置が任意の装置から、前記管理サーバ装置に記憶されている１以上のアイテムデータの中から所定の条件を満たすアイテムデータを検索するための当該所定の条件を示す検索条件データを受信するステップと、
前記管理サーバ装置が前記検索条件データにより示される条件を満たすアイテムデータを前記管理サーバ装置に記憶されている１以上のアイテムデータの中から検索するステップと、
前記管理サーバ装置から前記検索条件データの送信元の装置に対し、前記検索するステップにおいて検索されたアイテムデータに含まれるメディアアドレスデータを送信するステップと
を備える
構成としてもよい（第９の実施態様）。
【００２１】
また、本発明は、上記の第１乃至第９の実施態様における管理サーバ装置を提供する。また、本発明は、上記の第１乃至第９の実施態様における管理サーバ装置が行う処理をコンピュータに実行させることにより当該管理サーバ装置をコンピュータにより実現させるプログラムを提供する。さらに、本発明は、上記の第１乃至第９の実施態様における管理サーバ装置が行う処理をコンピュータに実行させることにより当該管理サーバ装置をコンピュータにより実現させるプログラムをコンピュータに読み取り可能に記録した記録媒体を提供する。
【発明の効果】
【００２２】
上記の第１乃至第３のいずれかの実施態様によれば、例えば、アイテムの販売者は、自分がコンテンツの提供を行うブログ等のメディアに対し、販売アイテムの情報を表示するとともに、購入者によるクリック等の簡易な操作に応じて販売アイテムの購入手続を行うためのＷｅｂページへと購入者を導くパーツの追加を容易に行うことができる。
【００２３】
上記の第４の実施態様によれば、例えば、アイテムの販売者は、自分がコンテンツの提供を行うメディアに対し、上記のパーツをドラッグアンドドロップの操作により容易に行うことができる。
【００２４】
上記の第５の実施態様によれば、例えば、販売アイテムが購入された等の理由により管理サーバ装置に登録されている販売アイテムに関する情報に更新が生じた場合であっても、メディアに追加されたパーツに自動的に更新後の情報が表示される。
【００２５】
上記の第６の実施態様によれば、例えば、販売者は購入されたアイテムを管理サーバ装置を管理する管理事業者に宛てて発送し、当該管理事業者はそのアイテムを購入者に宛てて発送することにより、販売者と購入者は互いに個人情報を交換することなくアイテムの売買を行うことができる。
【００２６】
上記の第７の実施態様によれば、例えば、販売者は購入されたアイテムを配送管理サーバ装置を管理する配送事業者にアイテム識別データとともに配送を依頼し、当該配送事業者はそのアイテムをアイテム識別データとともに管理サーバ装置から受け取った住所データにより示される住所に配送することにより、複数回の発送処理を伴うことなく、販売者と購入者の間の匿名取引が可能となる。
【００２７】
上記の第８の実施態様によれば、例えば、購入されたアイテムが何らかの事情で購入者に届かなかったり、破損して届いたり、といった場合において、購入者が受領通知データの送信を保留することにより、購入者はそのアイテムの代金の決済を保留することができる。
【００２８】
上記の第９の実施態様によれば、例えば、アイテムの購入を希望する購入予定者は、管理サーバ装置が提供するサイトにおいて検索キーワードを入力する等によりいずれかの販売者により販売中の所望のアイテムを見つけ出し、そのアイテムの販売者のブログ等のメディアに容易にアクセスすることができる。
【図面の簡単な説明】
【００２９】
【図１】図１は、本発明の一実施形態にかかるネット販売システムの全体構成を模式的に示した図である。
【図２】図２は、本発明の一実施形態にかかるユーザＤＢの構成を模式的に示した図である。
【図３】図３は、本発明の一実施形態にかかる販売中アイテムＤＢの構成を模式的に示した図である。
【図４】図４は、本発明の一実施形態にかかる購入済みアイテムＤＢの構成を模式的に示した図である。
【図５】図５は、本発明の一実施形態にかかるネット販売システムにおいて販売されるアイテムの登録が行われる際のネット販売システムの動作を示すフロー図である。
【図６】図６は、本発明の一実施形態にかかるパーツデータ引き渡し用ページを模式的に示した図である。
【図７】図７は、本発明の一実施形態にかかるネット販売システムにおいてアイテムの購入が行われる際のネット販売システムの動作を示すフロー図である。
【図８】図８は、本発明の一実施形態にかかるネット販売システムにおいてアイテムの購入が行われる際のネット販売システムの動作を示すフロー図である。
【図９】図９は、本発明の一実施形態にかかるネット販売システムにおいてアイテムの購入が行われる際のネット販売システムの動作を示すフロー図である。
【図１０】図１０は、本発明の一実施形態にかかるネット販売システムにおいてアイテムの購入が行われる際のネット販売システムの動作を示すフロー図である。
【図１１】図１１は、本発明の一実施形態にかかるネット販売システムにおいてアイテムの購入が行われる際のネット販売システムの動作を示すフロー図である。
【発明を実施するための形態】
【００３０】
［１．実施形態］
［１．１．構成］
図１は、本発明の一実施形態にかかるネット販売システム１の全体構成を模式的に示した図である。ネット販売システム１は、ＣＧＭコンテンツの発信者が物品、データ、サービス等のアイテムを販売したい場合に、そのアイテムの情報を表示するとともにそのアイテムの購入手続を容易化するツールを自分のＣＧＭコンテンツ内に貼り付けることで、ＣＧＭを介したアイテムの販売を行うことを可能とするシステムである。
【００３１】
ネット販売システム１は、アイテムの販売者（以下、単に「販売者」と呼ぶ）が使用する端末装置群１１と、ＣＧＭの配信を行う情報配信サーバ装置群１２と、ネット販売システム１を管理する管理サーバ装置１３と、アイテムの購入者（以下、単に「購入者」と呼ぶ）が使用する端末装置群１４と、アイテムの購入代金の決済処理を行う決済サーバ装置１５と、アイテムが物品である場合にその物品の配送に伴う情報を管理する配送管理サーバ装置１６とを備えている。
【００３２】
図１は、端末装置群１１は端末装置１１ａ〜ｃ、情報配信サーバ装置群１２は情報配信サーバ装置１２ａ〜ｃ、端末装置群１４は端末装置１４ｐ〜ｒを含む場合を示しているが、これらは例示であり、各装置群に含まれる装置の数は任意に変化する。以下、これらの同種の装置を各々区別する必要がない場合、例えば「端末装置１１」のように呼ぶ。
【００３３】
なお、端末装置１１ａ〜ｃのユーザである販売者は、各々、情報配信サーバ装置１２ａ〜ｃを自分のＣＧＭコンテンツの配信元として利用しているものとする。
【００３４】
また、図１は、管理サーバ装置１３、決済サーバ装置１５、配送管理サーバ装置１６および情報配信サーバ装置１２の各々が１つの装置により実現されている場合を示しているが、これらは例示であり、それらの装置が各々、互いに連携動作する複数の装置により実現されてもよい。
【００３５】
端末装置１１もしくは端末装置１４は、Ｗｅｂブラウザ機能を備えた一般的な端末装置であり、その形態は、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、携帯電話等、いずれのものであってもよい。
【００３６】
情報配信サーバ装置１２は、ＣＧＭコンテンツを含むＷｅｂページの配信を行う一般的なＷｅｂサーバ装置である。ＣＧＭコンテンツの発信者は、端末装置１１を用いて情報配信サーバ装置１２にアクセスし、自分のＣＧＭコンテンツを自由に編集することができる。
【００３７】
管理サーバ装置１３は、インターネットを介したアイテムの売買に関する情報を管理し、アイテムの購入に伴う処理を行うとともに、アイテムの販売者のＣＧＭコンテンツ内に追加可能な販売ツールを提供するサーバ装置である。管理サーバ装置１３は、例えば、汎用的なサーバ装置に本発明にかかるアプリケーションプログラムに従った処理を実行させることにより実現される。管理サーバ装置１３は、少なくとも以下の機能構成を備える。
【００３８】
受信手段：端末装置１１から、販売されるアイテムに関する情報を示すアイテムデータを受信する。端末装置１４から、アイテムの購入処理を指示する購入指示データを受信する。端末装置１４から、更新されたアイテムデータの内容を示す更新データの要求を受信する。端末装置１４から、購入者の住所を示す住所データを受信する。端末装置１４から、購入者が購入したアイテムを受領したことを通知する受領通知データを受信する。端末装置１４から、１以上のアイテムデータの中から所定の条件を満たすアイテムデータを検索するための当該所定の条件を示す検索条件データを受信する。
【００３９】
記憶手段：端末装置１１から送信されたアイテムデータを記憶する。
パーツデータ生成手段：ＣＧＭコンテンツに追加され、アイテムの販売を支援するパーツを示すパーツデータを生成する。
ページデータ生成手段：パーツのソースコードを端末装置１１に引き渡すためのＷｅｂページを示すページデータであるパーツデータ引き渡し用のページデータを生成する。
【００４０】
送信手段：端末装置１１に、パーツデータ引き渡し用のページデータを送信する。更新データの要求に応じて、端末装置１４に更新データを送信する。アイテムの購入代金の決済に伴う所定の処理の完了に応じて、端末装置１１のユーザの電子メールアドレス宛にアイテムの購入が行われたことを通知する購入完了通知メールを送信する。アイテムの購入代金の決済に伴う所定の処理の完了に応じて、配送管理サーバ装置１６に、購入されたアイテムを識別するアイテム識別データと購入者の住所を示す住所データを送信する。端末装置１４から送信された検索条件データの受信に応じて、端末装置１４に対し、検索条件データに従い検索されたアイテムデータに含まれるメディアアドレスデータ（アイテムの販売者のＣＧＭコンテンツのインターネットにおける格納場所を示す）を送信する。
【００４１】
更新手段：端末装置１４から送信された購入指示データに応じて記憶手段に記憶されているアイテムデータを更新する。
決済処理手段：決済サーバ装置１５と連携し、アイテムの購入代金の決済に伴う所定の処理を行う。
検索手段：端末装置１４から送信された検索条件データの受信に応じて、当該検索条件データにより示される条件を満たすアイテムデータを記憶手段に記憶されているアイテムデータの中から検索する。
【００４２】
決済サーバ装置１５は、管理サーバ装置１３からの要求に応じて、各種クレジットカード会社のサーバ装置との間でデータ通信を行い、アイテムの購入者による購入代金のクレジットカードを用いた決済に伴う処理を代行するサーバ装置である。
【００４３】
配送管理サーバ装置１６は、配送事業者が物品の配送を管理するために用いているサーバ装置である。
【００４４】
管理サーバ装置１３の記憶手段には、ネット販売システム１を利用する販売者および購入者のデータであるユーザデータを格納するユーザＤＢ（Ｄａｔａｂａｓｅ）と、現在販売中であるアイテムに関するデータである販売中アイテムデータを格納する販売中アイテムＤＢと、購入済みのアイテムに関するデータである購入済みアイテムデータを格納する購入済みアイテムＤＢとが記憶されている。
【００４５】
図２は、ユーザＤＢの構成を模式的に示した図である。ユーザＤＢに含まれる各ユーザデータは下記のフィールドを有している。
【００４６】
ユーザＩＤ：ユーザを識別するユーザＩＤを格納する。
パスワード：ユーザの本人認証を行うためのパスワードを格納する。
氏名データ：ユーザの氏名を示す氏名データを格納する。
住所データ：ユーザの住所を示す住所データを格納する。
電子メールアドレス：ユーザの電子メールアドレス（携帯電話の電話番号を含む携帯メールアドレスを含む）を格納する。
【００４７】
決済ＩＤ：ユーザが購入者となった場合、購入代金を決済する際に管理サーバ装置１３と決済サーバ装置１５との間でユーザを識別するために用いられるＩＤである決済ＩＤを格納する。
口座情報：ユーザが販売者となった場合、ユーザがネット販売システム１の管理事業者（管理サーバ装置１３を管理する事業者、以下、単に「管理事業者」と呼ぶ）から販売代金の入金を受けるための銀行口座の情報を格納する。
【００４８】
販売者に対する評価：ユーザが過去に販売したアイテムに関し、そのアイテムの購入者による販売者に対する５段階評価（１〜５のいずれかの数、大きい数程よい評価を示す）の各々の数を格納する。
購入者に対する評価：ユーザが過去に購入したアイテムに関し、そのアイテムの販売者による購入者に対する５段階評価（１〜５のいずれかの数、大きい数程よい評価を示す）の各々の数を格納する。
【００４９】
図３は、販売中アイテムＤＢの構成を模式的に示した図である。販売中アイテムＤＢに含まれる各販売中アイテムデータは下記のフィールドを有している。
【００５０】
アイテムＩＤ：アイテムを識別するアイテムＩＤを格納する。
販売者ＩＤ：販売者のユーザＩＤを格納する。
アイテム名：アイテムの名称を示すデータを格納する。
アイテム紹介情報：アイテムの内容説明を示すデータを格納する。
画像データ：アイテムの写真を示す画像データのファイル名を格納する。
販売残数：現在購入可能なアイテムの数（在庫数）を格納する。
販売済数：既に販売済みのアイテムの数を格納する。
【００５１】
販売方法：オークション方式の販売か、販売者指定の販売価格による販売かを示す「オークション」または「指定価格」を格納する。
販売開始価格：販売開始価格を示すデータを格納する。なお、販売方法が指定価格である場合、販売開始価格は販売者指定の販売価格を示す。
現在価格：現在価格を示すデータを格納する。なお、販売方法が指定価格である場合、現在価格は常に販売者指定の販売価格である。
送料の扱い：送料は販売価格に含まれていることを示す「送料含む」、送料は着払いにより購入者が負担する「着払い」、送料は金額確定後に販売価格に追加して購入者が販売者に支払う「送料追加支払い」のいずれかを格納する。なお、アイテムがデータもしくはサービスである場合、このフィールドには空データが格納される。
発送元地域：アイテムが物品であり、送料の扱いが「送料含む」以外である場合、アイテムの発送元の地域を示すデータを格納する。
【００５２】
決済代行：ネット販売システム１による決済代行を利用するか否かを示す「Ｙｅｓ」または「Ｎｏ」を格納する。
二段階決済：決済において、購入者がアイテムの購入の申し出を行った時点では購入代金の引き落としが確定せず、購入者がアイテムを受領した後に購入代金の引き落としが確定する決済方法（以下、「二段階決済」と呼ぶ）を利用するか否かを示す「Ｙｅｓ」または「Ｎｏ」を格納する。
【００５３】
カテゴリ：アイテムのカテゴリを示す「物品」、「データ」または「サービス」を格納する。
匿名販売：匿名販売を利用するか否かを示す「Ｙｅｓ」または「Ｎｏ」を格納する。
【００５４】
キーワード：アイテムに関連するキーワードを示すデータを格納する。
販売期間：アイテムの販売期間を示すデータを格納する。
購入者条件：購入者が満たすべき条件を示すデータを格納する。
ＵＲＬ：販売者が発信しているＣＧＭコンテンツに購入者がアクセスするためのＵＲＬ（Ｕｎｉｆｏｒｍ  Ｒｅｓｏｕｒｃｅ  Ｌｏｃａｔｏｒ）を格納する。
入札者ＩＤ：販売方法が「オークション」であるアイテムに関し、その時点で最高入札額の入札を行っている購入者（入札者）のユーザＩＤを格納する。
【００５５】
販売中アイテムデータが有するフィールドのあるものに格納されるデータは、他のフィールドに格納されるデータにより制限を受ける。以下にその制限を示す。
決済代行は、送料の扱いが「送料含む」または「着払い」、もしくは空データである場合のみ、「Ｙｅｓ」を選択可能。
二段階決済は、決済代行が「Ｙｅｓ」であり、かつカテゴリが物品である場合のみ、「Ｙｅｓ」を選択可能。
匿名販売は、カテゴリが「物品」または「データ」であり、送料の扱いが「送料含む」または「着払い」、もしくは空データである場合のみ、「Ｙｅｓ」を選択可能。
【００５６】
図４は、購入済みアイテムＤＢの構成を模式的に示した図である。購入済みアイテムＤＢに含まれる各購入済みアイテムデータは下記のフィールドを有している。
【００５７】
アイテムＩＤ：アイテムを識別するアイテムＩＤを格納する。
サブＩＤ：同じアイテムが複数販売された場合に、それらのアイテムを互いに識別するサブＩＤを格納する。
購入時刻：アイテムの購入が成立した時刻を示すデータを格納する。
配送完了時刻：アイテムが物品である場合において、購入者にアイテムが配送された時刻を示すデータを格納する。
売上時刻：アイテムの購入代金の売上請求が行われた時刻を示すデータを格納する。
【００５８】
販売者ＩＤ：販売者のユーザＩＤを格納する。
購入者ＩＤ：購入者のユーザＩＤを格納する。
カテゴリ：アイテムのカテゴリを示す「物品」、「データ」または「サービス」を格納する。
匿名販売：匿名販売であるか否かを示す「Ｙｅｓ」または「Ｎｏ」を格納する。
【００５９】
販売者に対する評価：購入者による販売者に対する５段階評価を示すデータ（１〜５のいずれかの数、大きい数程よい評価を示す）を格納する。
販売者に対するコメント：購入者による販売者に対するコメントを示すデータを格納する。
購入者に対する評価：販売者による購入者に対する５段階評価を示すデータ（１〜５のいずれかの数、大きい数程よい評価を示す）を格納する。
購入者に対するコメント：販売者による購入者に対するコメントを示すデータを格納する。
【００６０】
［１．２．動作］
ネット販売システム１を利用するユーザ（販売者および購入者）は、ネット販売システム１を利用するにあたり、ユーザデータ（図２参照）の登録を行う必要がある。ユーザは、端末装置１１もしくは端末装置１４（以下、それらを総称して単に「端末装置」と呼ぶ）を用いて管理サーバ装置１３が提供するユーザ登録ページにアクセスし、ユーザ登録ページにおいて、まずユーザデータのフィールドのうち決済ＩＤ、販売者に対する評価および購入者に対する評価を除くフィールドの情報を入力した後、送信操作を行う。その操作に応じて、端末装置から管理サーバ装置１３に対し、ユーザにより入力された情報が送信される。
【００６１】
管理サーバ装置１３は、端末装置から送信されてくる情報が所定の条件を満たすことを確認した後、ユーザＤＢ（図２参照）にユーザデータを新規作成し、新規作成したユーザデータの対応するフィールドに受信した情報を格納する。ここで、所定の条件とは、例えば同じユーザＩＤが既に他のユーザのユーザＩＤとしてユーザＤＢに登録されていないこと、電子メールアドレスが正しい規則に従っていること、必須のフィールドの情報が含まれていること等である。
【００６２】
端末装置から受信した情報のユーザデータに対する格納を完了すると、管理サーバ装置１３は端末装置からの接続要求を決済サーバ装置１５が管理する決済情報登録ページへとリダイレクトする。その際、管理サーバ装置１３は端末装置との間のセッションＩＤを決済サーバ装置１５に通知する。
【００６３】
端末装置には、リダイレクト先の決済情報登録ページが表示される。ユーザは決済情報登録ページにおいて、決済情報（クレジットカード会社名、カード名義、有効期限、カード番号、セキュリティコード）を入力し、送信操作を行う。その操作に応じて、端末装置から決済サーバ装置１５に対し、ユーザにより入力された決済情報が送信される。
【００６４】
決済サーバ装置１５は、端末装置から送信されてくる決済情報の整合性を確認した後、その決済情報に対し、他の決済情報からその決済情報を識別するための決済ＩＤを割り振り、それらを決済サーバ装置１５が管理する決済情報ＤＢに格納する。その後、決済サーバ装置１５は、割り振った決済ＩＤを、リダイレクトの際に受信したセッションＩＤとともに、管理サーバ装置１３に送信する。
【００６５】
管理サーバ装置１３は、決済サーバ装置１５から受信したセッションＩＤにより特定されるユーザのユーザデータのフィールド「決済ＩＤ」に、決済サーバ装置１５から受信した決済ＩＤを格納する。以上がユーザデータの登録に伴うネット販売システム１の動作の説明である。
【００６６】
上述のように、ネット販売システム１において、決済情報はユーザの端末装置と決済サーバ装置１５との間で直接交換され管理サーバ装置１３が決済情報を受け取ることはない。そして、以下に説明するアイテムの購入に伴う処理においては、管理サーバ装置１３は決済ＩＤを用いて決済サーバ装置１５との間で決済に伴う処理を行う。このような構成を採用するため、何らかの事故により管理サーバ装置１３から決済情報が外部に漏洩するというリスクがない。
【００６７】
なお、上述した動作フローにおいては、決済サーバ装置１５が決済ＩＤの割り振りを行うが、管理サーバ装置１３が決済ＩＤの割り振りを行い、割り振った決済ＩＤを決済サーバ装置１５に送信するようにしてもよい。また、決済情報の登録時に、管理サーバ装置１３が端末装置と決済サーバ装置１５との間のデータ通信を中継する構成としてもよい。その場合、管理サーバ装置１３が端末装置から送信される決済情報を一端受け取り、受け取った決済情報を決済サーバ装置１５に転送した後に破棄する構成とすれば、管理サーバ装置１３から決済情報の漏洩等の問題が生じるリスクを低減することができる。さらに、管理サーバ装置１３を介して端末装置と決済サーバ装置１５との間で通信される決済情報をカプセル化し管理サーバ装置１３に対し秘匿する構成とすれば、管理サーバ装置１３が決済情報を中継する場合であっても、管理サーバ装置１３から決済情報の漏洩等の問題が生じるリスクを排除することができる。
【００６８】
ＣＧＭコンテンツの発信者が販売者としてネット販売システム１を利用する場合、販売者は端末装置１１を用いて管理サーバ装置１３にアクセスし、販売するアイテムに関する販売中アイテムデータ（図３参照）の登録を行った後、管理サーバ装置１３において生成されるアイテム販売用のツールを、自分のＣＧＭコンテンツに追加する。
【００６９】
以下、例として、情報配信サーバ装置１２ａを利用して自分のブログを発信している端末装置１１ａのユーザである販売者ａが、ネット販売システム１を利用して同じ型式の自転車を３台販売するために、販売中アイテムデータの登録およびパーツのブログページへの追加を行う際のネット販売システム１の動作を、図５を用いて説明する。
【００７０】
なお、以下の説明において、例として、情報配信サーバ装置１２ａのドメイン名は「ｈｅｌｌｏｌｏｇ．ｃｏｍ」であり、管理サーバ装置１３のドメイン名は「ｃｇｍｓａｌｅ．ｃｏｍ」であるものとする。また、販売者ａが情報配信サーバ装置１２ａを利用して公開しているブログページ（ブログコンテンツの表示ページ）のＵＲＬは「ｈｔｔｐ：／／ｓｏｙｏｋａｚｅ．ｈｅｌｌｏｌｏｇ．ｃｏｍ」であるものとする。
【００７１】
販売者ａは、端末装置１１ａを用いて管理サーバ装置１３が提供する販売者用サイトにアクセスし、表示されるログインページにおいてユーザＩＤおよびパスワードを入力することにより、そのサイトへのログインを行う（ステップＳ１０１）。
【００７２】
端末装置１１ａを用いた販売者ａの販売者用サイトへのログインが完了すると、管理サーバ装置１３は端末装置１１ａに対し、販売アイテムの登録ページのページデータを送信する（ステップＳ１０２）。販売アイテムの登録ページには、販売中アイテムデータ（図３参照）の各フィールドに対応するテキストボックス、チェックボックス、リストボックス等のデータ入力用のオブジェクトが含まれている。
【００７３】
端末装置１１ａは管理サーバ装置１３から受信したページデータに従い、販売アイテムの登録ページを表示する。販売アイテムの登録ページにおいて、販売者ａは販売したいアイテム、すなわち自転車３台に関するデータ（以下、「アイテムデータ」と呼ぶ）を入力する（ステップＳ１０３）。以下、例として、販売者ａは以下のデータを入力したものとする。
アイテム名：「クロスバイク（新品）」
アイテム紹介情報：「ＡＢＣ社製のクロスバイク（型式名：ＸＹＺ−００１）です。色はブルー。新品です。」
画像データ：「ｃｒｏｓｓｂｉｋｅ００１．ｊｐｇ  ／  ｃｒｏｓｓｂｉｋｅ００２．ｊｐｇ」
販売数：「３」
販売方法：「指定価格」
販売開始価格：「３２，０００円」
送料の扱い：「着払い」
発送元地域：「東京」
決済代行：「Ｙｅｓ」
二段階決済：「Ｙｅｓ」
カテゴリ：「物品」
匿名販売：「Ｙｅｓ」
キーワード：「スポーツ  ／  アウトドア  ／  自転車  ／  クロスバイク」
販売期間：「２００９年１月１０日１２：００〜２００９年１月２４日１２：００」
購入者条件：「海外発送不可  ／  購入者に対する評価に１があるユーザは購入不可」
ＵＲＬ：「ｈｔｔｐ：／／ｓｏｙｏｋａｚｅ．ｈｅｌｌｏｌｏｇ．ｃｏｍ」
【００７４】
販売者ａの操作に応じて、端末装置１１ａは販売アイテムの登録ページにおいて入力されたアイテムデータを管理サーバ装置１３に送信する（ステップＳ１０４）。管理サーバ装置１３は端末装置１１ａからアイテムデータを受信すると、まず、販売中アイテムデータ（図３参照）を新規作成し、受信したアイテムデータに含まれる各項目のデータを新規作成した販売中アイテムデータの対応するフィールドに格納する。ただし、アイテムデータに含まれる販売数は販売中アイテムデータの販売残数に格納される。
【００７５】
また、管理サーバ装置１３は新規作成した販売中アイテムデータの下記のフィールドに下記のデータを格納する。
アイテムＩＤ：販売中アイテムＤＢにおいて未使用の任意のアイテムＩＤ。例として、「２００９０１１０３８２７１９０８」が格納されるものとする。
販売者ＩＤ：ステップＳ１０１のログイン処理において端末装置１１ａからパスワードとともに送信された販売者ａのユーザＩＤ。例として、「ｓｏｙｏｋａｚｅ０００１」が格納されるものとする。
購入済数：「０」
現在価格：販売開始価格と同じ金額を示すデータ。この場合、「３２，０００円」
【００７６】
管理サーバ装置１３は、上記のように新規作成した販売中アイテムデータにデータを格納すると、その販売中アイテムデータを販売中アイテムＤＢ（図３参照）に登録する（ステップＳ１０５）。
【００７７】
続いて、管理サーバ装置１３はステップＳ１０５において販売中アイテムＤＢに登録した販売中アイテムデータを用いて、Ｗｅｂページの一部を構成するオブジェクトであるパーツの表示等を指示するパーツデータを生成する（ステップＳ１０６）。なお、ここでパーツとは、例えばブログアクセサリー、ブログシール、ブログプラグイン、ブログウィジェット、ブログガジェット等の名称で呼ばれているものの総称である。
【００７８】
ステップＳ１０６において生成されるパーツデータは、そのパーツデータに従い生成されるパーツを含むＷｅｂページを表示する任意の端末装置に以下の（１）〜（７）の処理を指示するデータを含んでいる。
【００７９】
（１）ファイル名「ｃｒｏｓｓｂｉｋｅ００１．ｊｐｇ」および「ｃｒｏｓｓｂｉｋｅ００２．ｊｐｇ」の画像データにより示される画像と、コマンドボタン「購入／入札」を表示する。
【００８０】
（２）下記の情報を表示する。
「アイテム名：クロスバイク（新品）」
「アイテム紹介情報：ＡＢＣ社製のクロスバイク（型式名：ＸＹＺ−００１）です。色はブルー。新品です。」
「販売方法：指定価格」
「販売開始価格：３２，０００円」
「送料の扱い：着払い」
「発送元地域：東京」
「決済代行：Ｙｅｓ」
「二段階決済：Ｙｅｓ」
「匿名販売：Ｙｅｓ」
「販売期間：２００９年１月１０日１２：００〜２００９年１月２４日１２：００」
「購入者条件：海外発送不可  ／  購入者に対する評価に１があるユーザは購入不可」
【００８１】
（３）パーツの表示直前に、その時点の現在時刻が（ａ）販売期間開始前、（ｂ）販売期間中、（ｃ）販売期間終了後のいずれであるかを判定し、（ａ）の場合はメッセージ「販売開始前です。」を表示し、（ｃ）の場合はメッセージ「販売終了しました。」を表示する。
【００８２】
（４）上記（３）の判定結果が（ｂ）であった場合、ＵＲＬ「ｈｔｔｐ：／／ｃｇｍｓａｌｅ．ｃｏｍ／ｕｐｄａｔｅ／２００９０１１０３８２７１９０８」に対し、現在の販売残数および販売済数と、現在価格とを示す更新データの要求を送信する。
【００８３】
（５）上記（３）の判定結果が（ｂ）であった場合、所定時間間隔（例えば１分間隔）で上記（３）および上記（４）を繰り返す。
【００８４】
（６）上記（４）または（５）において送信された更新データの要求に応じて送信されてくる更新データに従い、「販売残数：＃＃＃」および「販売済数：＃＃＃」、「現在価格：＃＃，＃＃＃円」（「＃＃＃」は更新データにより示される数値）を表示する。また、更新データに含まれる販売残数を示す数値が「０」である場合、メッセージ「完売しました。」を表示する。
【００８５】
（７）パーツ内に表示されるコマンドボタン「購入／入札」がマウス等のポインティングデバイスによりクリックされた場合、上記（３）、（４）および（６）を行い、上記（３）の判定の結果が（ｂ）であり、かつ上記（６）において更新データに含まれる販売残数を示す数値が「０」でない場合に限り、ＵＲＬ「ｈｔｔｐ：／／ｃｇｍｓａｌｅ．ｃｏｍ／ｂｕｙ／２００９０１１０３８２７１９０８」に対し、アイテムの購入処理を指示する購入指示データを送信する。
【００８６】
パーツデータには、例えばＪａｖａ（登録商標）スクリプト等により記述された上記（３）〜（６）の処理を指示するコード（上記（４）の処理を指示するコードを以下、「更新要求指示データ」と呼ぶ）が含まれている。また、パーツデータには、上記（７）の機能を実現するために、ＵＲＬ「ｈｔｔｐ：／／ｃｇｍｓａｌｅ．ｃｏｍ／ｂｕｙ／２００９０１１０３８２７１９０８」がパーツの表示に対するリンク情報として含まれている。
【００８７】
なお、上記（４）および（７）における「ｃｇｍｓａｌｅ．ｃｏｍ」は管理サーバ装置１３のインターネットにおける場所（アドレス）を示すドメイン名であり、「２００９０１１０３８２７１９０８」はアイテムＩＤである。
【００８８】
続いて、管理サーバ装置１３は生成したパーツデータを用いて、以下の（１）〜（４）の処理を指示するパーツデータ引き渡し用のページデータを生成する（ステップＳ１０７）。
（１）パーツのソースコード（すなわちパーツデータ）を表示する。
（２）パーツデータに従い生成されるパーツのプレビューを表示する。
（３）パーツデータ引き渡し用のページデータに従い生成されるＷｅｂページ（以下、「パーツデータ引き渡し用ページ」と呼ぶ）を表示する端末装置のユーザによるコマンドボタンのクリック操作に応じて、その端末装置のワークエリア内にパーツのソースコードを貼り付け用データとして一時的に記憶させる。
（４）パーツデータ引き渡し用ページを表示する端末装置のユーザにより、上記（２）で述べたプレビューの表示部分をドラッグし、その端末装置に表示されているＣＧＭコンテンツのソースコード内のいずれかの位置にドロップする操作が行われた場合、その操作に応じて、そのドロップの位置にパーツのソースコードを追加させる。
【００８９】
パーツデータ引き渡し用のページデータには、例えばＪａｖａ（登録商標）スクリプト等により記述された上記（３）の処理を指示するコード（以下、「コピー指示データ」と呼ぶ）が含まれている。また、パーツデータ引き渡し用のページデータには、例えばＪａｖａ（登録商標）スクリプト等により記述された上記（４）の処理を指示するコード（以下、「ペースト指示データ」と呼ぶ）が含まれている。
【００９０】
管理サーバ装置１３は生成したパーツデータ引き渡し用のページデータを端末装置１１ａに送信する（ステップＳ１０８）。端末装置１１ａは管理サーバ装置１３から受信したパーツデータ引き渡し用のページデータに従い、パーツデータ引き渡し用ページを表示する（ステップＳ１０９）。
【００９１】
図６は、ステップＳ１０９において端末装置１１ａに表示されるパーツデータ引き渡し用ページを模式的に示した図である。パーツデータ引き渡し用ページには、パーツのプレビューを表示するプレビュー表示ボックス２１と、パーツのソースコードを表示するテキストボックス２２と、パーツのソースコードを貼り付け用データとして一時的に記憶させるためのコマンドボタン２３が含まれている。
【００９２】
図５に戻り、ネット販売システム１の動作の説明を続ける。販売者ａは、端末装置１１ａを用いて情報配信サーバ装置１２ａが提供するブログ管理サイトにアクセスし、表示されるログインページにおいてユーザＩＤおよびパスワードを入力することにより、そのサイトへのログインを行う（ステップＳ２０１）。
【００９３】
端末装置１１ａを用いた販売者ａのブログ管理サイトへのログインが完了すると、情報配信サーバ装置１２ａは端末装置１１ａに対し、販売者ａのブログページを編集するための編集ページのページデータを送信する（ステップＳ２０２）。端末装置１１ａは情報配信サーバ装置１２ａから受信したページデータに従い、販売者ａのブログページの編集ページを表示する（ステップＳ２０３）。
【００９４】
販売者ａのブログページの編集ページには販売者ａのブログページのソースコードが表示され、販売者ａは端末装置１１ａを操作して、自分のブログページのソースコードを自由に編集することができる。販売者ａは、以下の（１）〜（３）のうちのいずれかの操作を行い、自分のブログページのソースコードの希望する位置に、パーツのソースコードを追加する（ステップＳ２０４）。
【００９５】
（１）パーツデータ引き渡し用ページ（図６参照）のテキストボックス２２に表示されているパーツのソースコードをドラッグ等により全て選択した後、所定の操作により選択した部分のデータを端末装置１１ａの記憶手段に一時的に記憶（コピー）させ、編集ページに表示されているブログページのソースコードの希望する位置にカーソルを移動した後、所定の操作により、先に一時的に記憶させたデータをカーソル位置に追加（ペースト）させる。
【００９６】
（２）パーツデータ引き渡し用ページ（図６参照）のコマンドボタン２３をクリックすることによりパーツのソースコードを端末装置１１ａの記憶手段に一時的に記憶（コピー）させ、編集ページに表示されているブログページのソースコードの希望する位置にカーソルを移動した後、所定の操作により、先に一時的に記憶させたデータをカーソル位置に追加（ペースト）させる。
【００９７】
（３）パーツデータ引き渡し用ページ（図６参照）のプレビュー表示ボックス２１をドラッグし、編集ページに表示されているブログページのソースコードの希望する位置においてドロップすることにより、パーツのソースコードをドロップ位置に追加（ペースト）させる。
【００９８】
なお、端末装置１４ａは上記（２）におけるコピー処理を、パーツデータに含まれるコピー指示データに従い行う。また、端末装置１４ａは上記（３）におけるペースト処理を、パーツデータに含まれるペースト指示データに従い行う。
【００９９】
続いて、販売者ａがブログページの編集ページにおいて編集完了の操作を行うと、端末装置１１ａはステップＳ２０４においてパーツのソースコードの追加された編集後のブログページのソースコードを、パーツに表示される画像を示す画像データとともに、情報配信サーバ装置１２ａに対し送信する（ステップＳ２０５）。
【０１００】
情報配信サーバ装置１２ａは、端末装置１１ａから受信した画像データを所定のフォルダ（例えば販売者ａのブログページに対応するフォルダ）に格納し、また端末装置１１ａから受信した販売者ａのブログページのソースコードにより情報配信サーバ装置１２ａにおいて記憶されている販売者ａのブログページのソースコードを上書きすることにより、販売者ａのブログページを更新する（ステップＳ２０６）。このように更新されたブログページは、任意の端末装置からアクセス可能となる。
【０１０１】
以上が、販売者が販売したいアイテムの情報を管理サーバ装置１３に登録し、そのアイテムを販売するためのパーツを自分のＣＧＭコンテンツの表示ページに追加する際のネット販売システム１の動作の説明である。
【０１０２】
ＣＧＭコンテンツの読者が購入者としてネット販売システム１を利用する場合、購入者は端末装置１４に表示されるＣＧＭコンテンツの表示ページに含まれるパーツをクリックすることにより管理サーバ装置１３にアクセスし、ログイン後に確認操作を行うだけでよい。
【０１０３】
以下、例として、販売者ａのブログコンテンツの読者である購入者ｐが、販売者ａのブログページにて上述したアイテムの販売用のツールを見て、そのアイテムを１つ購入する際のネット販売システム１の動作を、図７〜図９を用いて説明する。なお、以下の説明において、購入者ｐは端末装置１４ｐを使用するものとする。
【０１０４】
購入者ｐは、端末装置１４ｐのＷｅｂブラウザにおいて販売者ａのブログページのＵＲＬ「ｈｔｔｐ：／／ｓｏｙｏｋａｚｅ．ｈｅｌｌｏｌｏｇ．ｃｏｍ」を入力し、ページ表示を指示する所定の操作を行う。その操作に応じて、端末装置１４ｐは入力されたＵＲＬに従い、ドメイン名「ｈｅｌｌｏｌｏｇ．ｃｏｍ」により識別される情報配信サーバ装置１２ａに対し、「ｓｏｙｏｋａｚｅ」により識別されるブログページのページデータの送信要求データを送信する（ステップＳ３０１）。
【０１０５】
この送信要求データに応じて、情報配信サーバ装置１２ａは販売者ａのブログページのページデータを端末装置１４ｐに送信する（ステップＳ３０２）。端末装置１４ｐは、受信したページデータに従い、販売者ａのブログページを表示する（ステップＳ３０３）。端末装置１４ｐに表示されるブログページには、販売者ａのブログコンテンツに加え、販売者ａが販売するアイテムの購入を支援するためのパーツが表示される。
【０１０６】
続いて、端末装置１４ｐは、パーツデータに含まれるコードに従い、現在時刻が（ａ）販売期間開始前、（ｂ）販売期間中、（ｃ）販売期間終了後のいずれであるかを判定する（ステップＳ３０４）。
【０１０７】
端末装置１４ｐは、ステップＳ３０４の判定の結果が（ａ）であった場合はパーツ内にメッセージ「販売開始前です。」を、またステップＳ３０４の判定の結果が（ｃ）であった場合はパーツ内にメッセージ「販売終了しました。」を表示する（ステップＳ３０５）。ステップＳ３０５において「販売開始前です。」もしくは「販売終了しました。」のメッセージが表示された場合、購入者ｐはその時点でそのアイテムを購入することができないため、以下に説明する動作は行われない。
【０１０８】
ステップＳ３０４の判定の結果が（ｂ）であった場合、端末装置１４ｐはパーツデータに含まれる更新要求指示データに従い、ＵＲＬ「ｈｔｔｐ：／／ｃｇｍｓａｌｅ．ｃｏｍ／ｕｐｄａｔｅ／２００９０１１０３８２７１９０８」に含まれるドメイン名「ｃｇｍｓａｌｅ．ｃｏｍ」で識別される管理サーバ装置１３に対し、アイテムＩＤ「２００９０１１０３８２７１９０８」で識別されるアイテムに関する更新データの送信要求データを送信する（ステップＳ３０６）。
【０１０９】
送信要求データに応じて、管理サーバ装置１３は販売中アイテムＤＢ（図３参照）からアイテムＩＤ「２００９０１１０３８２７１９０８」を含む販売中アイテムデータを検索し、検索された販売中アイテムデータの販売残数、販売済数および現在価格を示す更新データを端末装置１４ｐに送信する（ステップＳ３０７）。例として、ここでは以下の内容の更新データが送信されるものとする。
販売残数：「２」
販売済数：「１」
現在価格：「３２，０００円」
【０１１０】
端末装置１４ｐは、情報配信サーバ装置１２ｐから受信した更新データにより示される上記の情報をパーツ内に表示する（ステップＳ３０８）。
【０１１１】
続いて、端末装置１４ｐはパーツデータに含まれるコードに従い、ステップＳ３０７において受信した更新データにより示される販売残数が０か否かの判定を行う（ステップＳ３０９）。ステップＳ３０９の判定において販売残数が０であると判定された場合、端末装置１４ｐはパーツ内にメッセージ「完売しました。」を表示する（ステップＳ３１０）。その場合、購入者ｐはそのアイテムを購入することができないため、以下に説明する動作は行われない。
【０１１２】
この場合、販売残数は２であるため、ステップＳ３０９の判定において販売残数が０であるとは判定されない。
【０１１３】
その後、パーツデータに含まれるコードに従い、端末装置１４ｐは所定時間間隔（例えば１分間隔）でステップＳ３０４〜ステップＳ３１０の処理を繰り返す（図示略）。
【０１１４】
販売者ａのブログページを見ている購入者ｐが、パーツ内に「販売開始前です。」、「販売終了しました。」および「完売しました。」のいずれのメッセージも表示されていない時にパーツ内に表示されているコマンドボタン「購入／入札」をクリックすると、端末装置１４ｐはパーツデータに含まれるコードに従い、ＵＲＬ「ｈｔｔｐ：／／ｃｇｍｓａｌｅ．ｃｏｍ／ｂｕｙ／２００９０１１０３８２７１９０８」に含まれるドメイン名「ｃｇｍｓａｌｅ．ｃｏｍ」により識別される管理サーバ装置１３に対し、アイテムＩＤ「２００９０１１０３８２７１９０８」で識別されるアイテムの購入処理を指示する購入指示データを送信する（ステップＳ４０１）。
【０１１５】
購入指示データを受信した管理サーバ装置１３は、端末装置１４ｐにログインページのページデータを送信し、購入者ｐはそのページデータに従い端末装置１４ｐに表示されるログインページにおいてユーザＩＤおよびパスワードを入力することにより、管理サーバ装置１３による本人認証を受ける（ステップＳ４０２）。
【０１１６】
ステップＳ４０２におけるログイン処理を完了すると、管理サーバ装置１３はステップＳ４０２において端末装置１４ｐから受信した購入者ｐのユーザＩＤを含むユーザデータをユーザＤＢ（図２参照）から検索する。また、管理サーバ装置１３は購入指示データに従い、販売中アイテムＤＢ（図３参照）からアイテムＩＤ「２００９０１１０３８２７１９０８」を含む販売中アイテムデータを検索する。管理サーバ装置１３は検索されたユーザデータにより示される購入者ｐの属性（住所、購入者に対する評価等）が検索された販売中アイテムデータの購入者条件に示される条件を満たすか否かを判定する（ステップＳ４０３）。
【０１１７】
ステップＳ４０３の判定において購入者ｐの属性が購入者条件に示される条件を満たさない場合、管理サーバ装置１３は端末装置１４ｐに購入希望のアイテムが購入できないことを示すメッセージを表示するメッセージページのページデータを送信し、端末装置１４ｐはそのページデータに従いメッセージページを表示する（図示略）。その場合、以下の動作は行われない。
【０１１８】
この場合、ステップＳ４０３の判定において購入者ｐの属性が購入者条件に示される条件を満たすものとする。その場合、管理サーバ装置１３は続いて、ステップＳ４０３において検索された販売中アイテムデータの販売方法が指定価格であるか否かを判定する（ステップＳ４０４）。
【０１１９】
ステップＳ４０４の判定で販売方法が指定価格でない場合、すなわち販売方法がオークションである場合についての動作は別途後述する。この場合、ステップＳ４０４の判定において、販売方法が指定価格であると判定される。
【０１２０】
ステップＳ４０４の判定において、販売方法が指定価格であると判定された場合、管理サーバ装置１３は端末装置１４ｐに購入確認ページのページデータを送信する（ステップＳ４０５）。端末装置１４ｐは管理サーバ装置１３から受信したページデータに従い、購入確認ページを表示する（ステップＳ４０６）。
【０１２１】
購入確認ページには、ステップＳ４０３において検索された販売中アイテムデータに含まれるアイテム名、購入価格（現在価格）等の情報と、コマンドボタン「ＯＫ」が表示される。購入者ｐがコマンドボタン「ＯＫ」をクリックすると、端末装置１４ｐは管理サーバ装置１３に購入を確認した旨を通知する購入確認データを送信する（ステップＳ４０７）。
【０１２２】
購入確認データの受信に応じて、管理サーバ装置１３はステップＳ４０３において検索された販売中アイテムデータの決済代行が「Ｙｅｓ」であるか否かを判定する（ステップＳ４０８）。ステップＳ４０８の判定において決済代行が「Ｙｅｓ」でないと判定された場合の処理については別途後述する。
【０１２３】
この場合、ステップＳ４０８の判定において、決済代行が「Ｙｅｓ］であると判定される。その場合、管理サーバ装置１３はステップＳ４０３において検索された販売中アイテムデータの二段階決済が「Ｙｅｓ」であるか否かを判定する（ステップＳ４０９）。ステップＳ４０９の判定において決済代行が「Ｙｅｓ」でないと判定された場合の処理については別途後述する。
【０１２４】
この場合、ステップＳ４０９の判定において、二段階決済が「Ｙｅｓ］であると判定される。その場合、管理サーバ装置１３はステップＳ４０３において検索されたユーザデータに含まれる決済ＩＤ、ステップＳ４０３において検索された販売中アイテムデータに含まれるアイテムＩＤ、販売済数に１を加算した数（サブＩＤ）、および現在価格とを含むオーソリ処理の要求データを決済サーバ装置１５に送信する（ステップＳ４１０）。
【０１２５】
決済サーバ装置１５は、オーソリ処理の要求データに応じて、オーソリ処理を行う（ステップＳ４１１）。オーソリ処理とは、決済ＩＤにより識別される購入者のクレジットカードの与信限度枠から、現在価格により示される支払金額を確保する処理である。
【０１２６】
現在価格により示される支払金額が購入者ｐの与信限度枠を超える等の理由により、決済サーバ装置１５がオーソリ処理に失敗した場合、決済サーバ装置１５はその旨を通知するエラー通知データを管理サーバ装置１３に送信する（図示略）。エラー通知データを受信すると、管理サーバ装置１３は端末装置１４ｐに例えば「クレジットカードによる決済処理ができませんでした。クレジットカード会社にご確認の後、再度、購入操作を行って下さい。」といったメッセージを表示するエラーメッセージページのページデータを送信する（図示略）。そのページデータに従い、端末装置１４ｐはエラーメッセージページを表示する（図示略）。その場合、以下に説明する処理は行われない。
【０１２７】
ここで、決済サーバ装置１５はオーソリ処理に成功したものとする。その場合、決済サーバ装置１５は管理サーバ装置１３にオーソリ処理の完了を通知する完了通知データを送信する（ステップＳ４１２）。
【０１２８】
オーソリ処理の完了通知データに応じて、管理サーバ装置１３はステップＳ４０４において検索された販売中アイテムデータの販売残数から１を除算した数で販売残数を更新し、販売済数に１を加算した数で販売済数を更新する（ステップＳ４１３）。
【０１２９】
続いて、管理サーバ装置１３は購入済みアイテムＤＢ（図４参照）に購入済みアイテムデータを新規作成し、新規作成した購入済みアイテムデータに以下のデータを格納する（ステップＳ４１４）。
アイテムＩＤ：ステップＳ４０１において端末装置１４ｐから受信した購入指示データに含まれるアイテムＩＤ「２００９０１１０３８２７１９０８」
サブＩＤ：ステップＳ４０３において検索された販売中アイテムデータの購入済数（ステップＳ４１３における更新後のもの）「２」
購入時刻：ステップＳ４１３の行われる時点における現在時刻を示すデータ。例として、「２００９年１月１５日２２：１５」が格納されるものとする。
販売者ＩＤ：ステップＳ４０３において検索された販売中アイテムデータの販売者ＩＤ。例として、「２３１８１２５４」が格納されるものとする。
購入者ＩＤ：ステップＳ４０２において端末装置１４ｐから受信した購入者ｐのユーザＩＤ。例として、「３１０１２３１２」が格納されるものとする。
カテゴリ：ステップＳ４０３において検索された販売中アイテムデータのカテゴリ「物品」
匿名販売：ステップＳ４０３において検索された販売中アイテムデータの匿名販売「Ｙｅｓ」
【０１３０】
なお、新規作成された販売中アイテムデータのフィールドのうち、上記のフィールド以外のフィールドには空データが格納される。
【０１３１】
続いて、管理サーバ装置１３は、端末装置１４ｐに購入処理の完了通知ページのページデータを送信する（ステップＳ４１５）。端末装置１４ｐは、管理サーバ装置１３から受信したページデータに従い、購入処理の完了通知ページを表示する（ステップＳ４１６）。ステップＳ４１６において表示される完了通知ページには、ステップＳ４０３において検索された販売中アイテムデータもしくはステップＳ４１４において新規作成された購入済みアイテムデータに格納されているデータの内容を含む、例えば以下のようなメッセージが表示される。
「あなたが購入したアイテムに関する購入処理が完了致しました。
アイテムＩＤ：２００９０１１０３８２７１９０８
サブＩＤ：２
アイテム名：クロスバイク（新品）
支払金額：３２，０００円
購入時刻：２００９年１月１５日２２：１５
匿名販売：Ｙｅｓ
販売者の電子メールアドレス：（非通知）」
【０１３２】
また、管理サーバ装置１３は、ステップＳ４０３において検索された販売中アイテムデータの販売者ＩＤを含むユーザデータをユーザＤＢ（図２参照）から検索し、検索されたユーザデータの電子メールアドレス宛に購入完了通知メールを送信する（ステップＳ４１７）。ステップＳ４１７において送信される購入完了通知メールには、ステップＳ４０３において検索された販売中アイテムデータもしくはステップＳ４１４において新規作成された購入済みアイテムデータに格納されているデータの内容を含む、例えば以下のようなメッセージが表示される。
「あなたが販売していたアイテムが購入されました。
アイテムＩＤ：２００９０１１０３８２７１９０８
サブＩＤ：２
アイテム名：クロスバイク（新品）
支払金額：３２，０００円
購入時刻：２００９年１月１５日２２：１５
匿名販売：Ｙｅｓ
購入者の電子メールアドレス：（非通知）」
【０１３３】
ステップＳ４０３において検索された販売中アイテムデータの匿名販売が「Ｙｅｓ」である場合、上記のように、ステップＳ４１５において端末装置１４ｐに送信される購入処理の完了通知ページのページデータには販売者ａの情報は含まれず、また、ステップＳ４１７において販売者ａの電子メールアドレス宛に送信される購入完了通知メールには購入者ｐの情報は含まれない。
【０１３４】
一方、ステップＳ４０３において検索された販売中アイテムデータの匿名販売が「Ｎｏ」である場合、管理サーバ装置１３はステップＳ４０３において検索された販売中アイテムデータの販売者ＩＤを含むユーザデータをユーザＤＢ（図２参照）から検索し、検索されたユーザデータの電子メールアドレスを、ステップＳ４１５において端末装置１４ｐに送信される購入処理の完了通知ページのページデータに含める。
【０１３５】
また、ステップＳ４０３において検索された販売中アイテムデータの匿名販売が「Ｎｏ」である場合、管理サーバ装置１３はステップＳ４０３において検索された購入者ｐのユーザデータの電子メールアドレスを、ステップＳ４１７において販売者ａの電子メールアドレス宛に送信される購入完了通知メールに含める。
【０１３６】
その結果、匿名販売でない場合、販売者ａと購入者ｐは相手の電子メールアドレス宛に電子メールを送信することにより、例えば送料の確定や代金の決済に用いる口座情報、アイテムの送信先の住所・氏名等の情報を交換することができる。
【０１３７】
ステップＳ４１７の処理を終えると、管理サーバ装置１３はステップＳ４０３において検索された販売中アイテムデータの匿名販売が「Ｙｅｓ」で、かつカテゴリが「物品」であるか否かを判定する（ステップＳ４１８）。
【０１３８】
ステップＳ４１８の判定において、ステップＳ４０３において検索された販売中アイテムデータの匿名販売が「Ｙｅｓ」で、かつカテゴリが「物品」であると判定された場合、管理サーバ装置１３はステップＳ４０３において検索されたユーザデータの氏名データおよび住所データと、ステップＳ４１４において新規作成された購入済みアイテムデータのアイテムＩＤおよびサブＩＤとを含む配送先データを送信する（ステップＳ４１９）。
【０１３９】
配送管理サーバ装置１６は、管理サーバ装置１３から受信した配送先データを記憶する（ステップＳ４２０）。
【０１４０】
販売者ａは、ステップＳ４１７において管理サーバ装置１３から送信された購入完了通知メールを受信すると、受信した購入完了通知メールに記載されているアイテムが匿名販売か否か、またそのアイテムのカテゴリが物品、データおよびサービスのいずれであるかに応じて、以下の処理を行う。
【０１４１】
（ケース１：匿名販売＝Ｎｏ、カテゴリ＝物品の場合）購入完了通知メールに記載の購入者ｐの電子メールアドレス宛に電子メールを送信することにより、物品の配送先等の情報を交換し、決済代行でない場合には購入者ｐによる代金の支払いを確認の後、物品を購入者ｐ宛に直接発送する。
【０１４２】
（ケース２：匿名販売＝Ｎｏ、カテゴリ＝データの場合）決済代行の場合、購入完了通知メールに記載の購入者ｐの電子メールアドレス宛にデータを直接送信する。決済代行でない場合、購入完了通知メールに記載の購入者ｐの電子メールアドレス宛に電子メールを送信することにより代金の支払い先口座情報等を交換し、購入者ｐによる代金の支払いを確認の後、購入完了通知メールに記載の購入者ｐの電子メールアドレス宛にデータを直接送信する。
【０１４３】
（ケース３：匿名販売＝Ｎｏ、カテゴリ＝サービスの場合）購入完了通知メールに記載の購入者ｐの電子メールアドレス宛に電子メールを送信することにより、サービスの提供場所等の情報を交換し、決済代行でない場合には購入者ｐによる代金の支払いを確認の後、購入者ｐに対するサービスを提供する。
【０１４４】
（ケース４：匿名販売＝Ｙｅｓ、カテゴリ＝物品の場合）指定の配送事業者（配送管理サーバ装置１６を利用している配送事業者）に物品の配送を依頼する。その際、発送伝票に送り先の氏名・住所は記載せず、代わりに購入完了通知メールに記載のアイテムＩＤおよびサブＩＤを記載する。
【０１４５】
（ケース５：匿名販売＝Ｙｅｓ、カテゴリ＝データの場合）管理サーバ装置１３が提供するデータアップロード用ページにアクセスし、ログイン処理を行った後、データアップロード用ページにおいて所定の操作を行い、購入されたアイテムのデータを管理サーバ装置１３に対しアップロードする。その際、データアップロード用ページにおいて、購入完了通知メールに記載のアイテムＩＤおよびサブＩＤを入力し、管理サーバ装置１３に送信する。
【０１４６】
上記のケース５の場合、管理サーバ装置１３は販売者ａにより入力されたアイテムＩＤおよびサブＩＤを含む購入済みアイテムデータを購入済みアイテムＤＢ（図４参照）から検索し、検索された購入済みアイテムデータの購入者ＩＤを含むユーザデータをユーザＤＢ（図２参照）から検索し、検索されたユーザデータの電子メールアドレス宛に、販売者ａによりアップロードされたデータを送信する。
【０１４７】
ネット販売システム１の動作説明において想定されているケースは、上記のケース４（匿名販売＝Ｙｅｓ、カテゴリ＝物品の場合）に該当する。ケース４の場合、配送事業者は販売者ａから物品の配送の依頼を受けると、配送管理サーバ装置１６に記憶されている発送先データの中から発送伝票に記載のアイテムＩＤおよびサブＩＤを含むものを検索し、検索された発送先データに含まれる氏名データおよび住所データにより示される氏名および住所に宛てて、依頼された物品の配送を行う。
【０１４８】
配送事業者は物品の配送を完了すると、配送が完了した物品のアイテムＩＤおよびサブＩＤを配送管理サーバ装置１６に入力し、所定の操作を行う。その操作に応じて、配送管理サーバ装置１６は入力されたアイテムＩＤおよびサブＩＤを含む配送完了通知データを管理サーバ装置１３に送信する（ステップＳ５０１）。
【０１４９】
管理サーバ装置１３は、配送完了通知データを受信すると、受信した配送管理通知データに含まれるアイテムＩＤおよびサブＩＤを含む購入済みアイテムデータを購入済みアイテムＤＢ（図４参照）から検索し、検索された購入済みアイテムデータの配送完了時刻に、その時点の現在時刻を示すデータを格納する（ステップＳ５０２）。
【０１５０】
配送事業者からアイテム（物品）を無事に受領した購入者ｐは、端末装置１４ｐを用いて管理サーバ装置１３が提供するアイテム受領通知用ページにアクセスし、ログイン処理（ステップＳ６０１）を行った後、端末装置１４ｐに表示されるアイテム受領通知用ページにおいてアイテムＩＤおよびサブＩＤを入力する。端末装置１４ｐは購入者ｐの所定の操作に応じて、入力されたアイテムＩＤおよびサブＩＤを含む受領通知データを管理サーバ装置１３に送信する（ステップＳ６０２）。
【０１５１】
受領通知データの受信に応じて、管理サーバ装置１３はステップＳ６０１のログイン処理において端末装置１４ｐから受信した購入者ｐのユーザＩＤを含むユーザデータをユーザＤＢ（図２参照）から検索し、検索されたユーザデータに含まれる決済ＩＤと、受領通知データに含まれるアイテムＩＤおよびサブＩＤとを含む売上処理の要求データを決済サーバ装置１５に送信する（ステップＳ６０３）。
【０１５２】
決済サーバ装置１５は、売上処理の要求データに応じて、売上処理を行う（ステップＳ６０４）。売上処理とは、オーソリ処理において確保された支払金額を売上請求する処理である。売上処理を完了すると、決済サーバ装置１５は管理サーバ装置１３に売上処理の完了を通知する完了通知データを送信する（ステップＳ６０５）。
【０１５３】
売上処理の完了通知データに応じて、管理サーバ装置１３はステップＳ６０２において受信した受領通知データに含まれるアイテムＩＤおよびサブＩＤを含む購入済みアイテムデータを購入済みアイテムＤＢ（図４参照）から検索し、検索された購入済みアイテムデータの売上時刻に、その時点の現在時刻を示すデータを格納する（ステップＳ６０６）。
【０１５４】
決済事業者はステップＳ６０４において売上処理された支払金額を管理事業者の指定された銀行口座に振り込む。その際、決済事業者はその振り込みの摘要欄に、その支払金額に関するアイテムＩＤおよびサブＩＤを記載する。管理事業者は、購入済みアイテムＤＢ（図４参照）から、決済事業者から受けた入金の摘要欄に記載されているアイテムＩＤおよびサブＩＤを含む購入済みアイテムデータを検索し、検索された購入済みアイテムデータの販売者ＩＤを含むユーザデータをユーザＤＢ（図２参照）から検索する。
【０１５５】
管理事業者は、そのように検索したユーザデータに含まれる口座情報に従い、例えば決済事業者から振り込まれた金額から所定の手数料を差し引いた金額を、販売者ａの銀行口座に振り込む。なお、決済事業者から管理事業者への入金処理、管理事業者から販売者への入金処理は、決済サーバ装置１５、管理サーバ装置１３および銀行が管理するサーバ装置との間でデータ通信により自動的に行われてもよい。
【０１５６】
なお、何らかの事故によりアイテムが購入者ｐに届かなかったり、アイテムが届いたが破損していた等の理由により購入者ｐが返品を希望する場合、購入者ｐはステップＳ６０１およびステップＳ６０２の処理を行うことなく、管理事業者に問い合わせを行ったり、返品の手続きを行うことになる。その場合、決済サーバ装置１５による売上処理は行われないため、購入者ｐはそのアイテムに関する代金の引き落とし等を受けることがない。
【０１５７】
上述した処理により、ケース１〜５のいずれのケースにおいても、販売者ａと購入者ｐとの間のアイテムの売買が完了する。
【０１５８】
上述したケースにおいては、アイテムの販売方法が指定価格であるもの（ステップＳ４０４；Ｙｅｓ）としたが、アイテムの販売方法がオークションである場合、上述したステップＳ４０５〜ステップＳ４０７に代えて、図１０に示すように以下の処理が行われる。
【０１５９】
管理サーバ装置１３は端末装置１４に入札ページのページデータを送信する（ステップＳ４２１）。端末装置１４は管理サーバ装置１３から受信したページデータに従い、入札ページを表示する（ステップＳ４２２）。
【０１６０】
入札ページには、ステップＳ４０３において検索された販売中アイテムデータに含まれるアイテム名、現在価格等の情報と、入札価格を入力するためのテキストボックスと、コマンドボタン「ＯＫ」が表示される。入札ページにおいて、購入者が入札価格を入力した後、コマンドボタン「ＯＫ」をクリックすると、端末装置１４は入力された入札価格を示すデータを含む入札データを管理サーバ装置１３に送信する（ステップＳ４２３）。なお、入札ページにおいて、表示される現在価格以下の入札価格の入力はできない。
【０１６１】
管理サーバ装置１３は、入札データを受信すると、ステップＳ４０３において検索された販売中アイテムデータの入札者ＩＤをステップＳ４０２において端末装置１４から受信した購入者のユーザＩＤで更新し、また現在価格を入札データに含まれる入札価格を示すデータで更新する（ステップＳ４２４）。
【０１６２】
管理サーバ装置１３は、販売中アイテムＤＢに含まれる販売中アイテムデータのうち、販売方法がオークションであり、購入時刻が空データであるものの販売期間の終期を所定時間ごと（例えば１秒ごと）にその時点の現在時刻と比較し、販売期間の終了に至ったか否かを判定している（ステップＳ４２５）。
【０１６３】
ステップＳ４２５の判定において販売期間の終了に至ったと判定されるまでの間、その販売中のアイテムに関しては、様々な購入者からの入札が行われ、その入札に伴いステップＳ３０１〜ステップＳ３１０、ステップＳ４０１〜ステップＳ４０４、ステップＳ４２１〜ステップＳ４２４の処理が繰り返される。
【０１６４】
ステップＳ４２５の判定において販売期間の終了に至ったと判定されたアイテムに関しては、その時点で販売中アイテムデータに格納されている入札者ＩＤで識別されるユーザが、現在価格に格納されているデータにより示される価格でそのアイテムを落札（すなわち購入）したことになる。従って、管理サーバ装置１３は上述したステップＳ４０８〜ステップＳ４１４の処理（オーソリ処理等）を行う。
【０１６５】
ステップＳ４１４の処理の後、ステップＳ４１５の処理（購入処理の完了通知ページのページデータの送信）に代えて、管理サーバ装置１３は、落札されたアイテムに関する販売中アイテムデータの購入者ＩＤを含むユーザデータをユーザＤＢ（図２参照）から検索し、検索されたユーザデータの電子メールアドレス宛に落札されたアイテムのアイテム名、落札価格等を示す落札通知メールを送信する。アイテムを落札した購入者は、ステップＳ４１６における購入処理の完了通知ページに代えて、落札通知メールにより自分が目的のアイテムを落札したこと、またその購入処理が完了したことを知る。
【０１６６】
その後、販売方法が指定価格の場合と同様に、上述したステップＳ４１７以降の処理が行われる。
【０１６７】
上述したケースにおいては、決済代行が「Ｙｅｓ」であるもの（ステップＳ４０８；Ｙｅｓ）としたが、決済代行が「Ｎｏ」である場合、上述したステップＳ４０９〜ステップＳ４１２（オーソリ処理等）は行われず、ステップＳ４１３〜ステップＳ４１７の処理（購入処理の完了通知等）が行われる。また、決済代行が「Ｎｏ」の場合、匿名販売は許可されないため、ステップＳ４１８以降の処理は行われない。
【０１６８】
また、上述したケースにおいては、二段階決済が「Ｙｅｓ」であるもの（ステップＳ４０９；Ｙｅｓ）としたが、二段階決済が「Ｎｏ」である場合、ステップＳ４１０〜ステップＳ４１２（オーソリ処理等）に代えて、ステップＳ６０３〜ステップＳ６０５（売上処理等）が行われる。また、二段階決済においてはステップＳ６０６において行われる購入済みアイテムデータの更新（売上時刻の格納）が、ステップＳ４１４において行われる購入済みアイテムデータの更新（購入時刻の格納）と同時に行われる。そして、二段階決済において行われるステップＳ６０１およびステップＳ６０２は行われない。
【０１６９】
以上が、販売者のＣＧＭコンテンツの読者である購入者が、販売者の販売するアイテムを購入する際のネット販売システム１の動作の説明である。
【０１７０】
なお、アイテムの引き渡しを終えた販売者およびアイテムの受け取りを終えた購入者は、各々、取引相手の評価を行うことができる。
【０１７１】
販売者が購入者の評価を行う場合、販売者は、管理サーバ装置１３が提供する購入者評価用ページにアクセスし、ログイン処理を行った後、購入者評価用ページにおいて販売したアイテムに関するアイテムＩＤ、サブＩＤ、購入者に対する評価および購入者に対するコメントを入力する。
【０１７２】
管理サーバ装置１３は販売者により入力されたアイテムＩＤおよびサブＩＤを含む購入済みアイテムデータを購入済みアイテムＤＢ（図４参照）から検索し、検索された購入済みアイテムデータの対応するフィールドに、販売者により入力された購入者に対する評価および購入者に対するコメントを格納する。
【０１７３】
また、管理サーバ装置１３は検索された購入済みアイテムデータに含まれる購入者ＩＤを含むユーザデータをユーザＤＢ（図２参照）から検索し、検索されたユーザデータの購入者に対する評価を、販売者により入力された購入者に対する評価に応じて更新する。
【０１７４】
同様に、購入者が販売者の評価を行う場合、購入者は、管理サーバ装置１３が提供する販売者評価用ページにアクセスし、ログイン処理を行った後、販売者評価用ページにおいて購入したアイテムに関するアイテムＩＤ、サブＩＤ、販売者に対する評価および販売者に対するコメントを入力する。
【０１７５】
管理サーバ装置１３は購入者により入力されたアイテムＩＤおよびサブＩＤを含む購入済みアイテムデータを購入済みアイテムＤＢ（図４参照）から検索し、検索された購入済みアイテムデータの対応するフィールドに、購入者により入力された販売者に対する評価および販売者に対するコメントを格納する。
【０１７６】
また、管理サーバ装置１３は検索された購入済みアイテムデータに含まれる販売者ＩＤを含むユーザデータをユーザＤＢ（図２参照）から検索し、検索されたユーザデータの販売者に対する評価を、購入者により入力された販売者に対する評価に応じて更新する。
【０１７７】
以上が、販売者および購入者が取引相手を評価する際のネット販売システム１の動作の説明である。
【０１７８】
上述したケースは、販売者のＣＧＭコンテンツの読者が購入者になるケースである。ネット販売システム１は、販売者のＣＧＭコンテンツの読者でない者も販売者の販売するアイテムの購入を可能とする仕組みを備えている。以下に、例として、販売者ａのブログコンテンツの読者ではない購入者ｑが販売者ａにより販売されているアイテムを購入する際のネット販売システム１の動作を、図１１を用いて説明する。なお、以下の説明において、購入者ｑは端末装置１４ｑを使用するものとする。
【０１７９】
購入者ｑは端末装置１４ｑのＷｅｂブラウザにおいて、管理サーバ装置１３が提供するアイテム検索サイトのＵＲＬを入力する。その操作に応じて、端末装置群１４ｑは管理サーバ装置１３に対し、アイテム検索ページのページデータの送信要求を送信する（ステップＳ７０１）。ページデータの送信要求に応じて、管理サーバ装置１３は端末装置１４ｑに、アイテム検索ページのページデータを送信する（ステップＳ７０２）。
【０１８０】
端末装置１４ｑは管理サーバ装置１３から受信したページデータに従い、アイテム検索ページを表示する（ステップＳ７０３）。アイテム検索ページには、ネット販売システム１において販売前もしくは販売中のアイテムの中から購入したいアイテムを検索するための条件を入力するためのテキストボックスやリストボックスと、コマンドボタン「検索」が表示される。
【０１８１】
購入者ｑはアイテム検索ページに表示されるテキストボックスやリストボックスに、例えば「キーワードに“自転車”を含む」、「決済代行＝Ｙｅｓ」、「販売者に対する評価に１があるユーザを販売者とするアイテムを含まない」等の条件を入力する。その後、購入者ｑがコマンドボタン「検索」をクリックすると、端末装置１４ｑは入力された条件を示す検索条件データを管理サーバ装置１３に送信する（ステップＳ７０４）。
【０１８２】
管理サーバ装置１３は、販売中アイテムＤＢに含まれる販売中アイテムデータの中から、販売期間の終期を過ぎておらず、端末装置１４ｑから受信した検索条件データにより示される条件を満たす販売中アイテムデータを検索する（ステップＳ７０５）。例えば、検索条件データが示す条件に「キーワードに“自転車”を含む」という条件が含まれている場合、管理サーバ装置１３はフィールド「キーワード」に「自転車」を含む販売中アイテムデータを検索する。
【０１８３】
また、例えば、検索条件データが示す条件に「販売者に対する評価に１があるユーザを販売者とするアイテムを含まない」という条件が含まれている場合、管理サーバ装置１３はフィールド「販売者ＩＤ」に格納されているユーザＩＤを含むユーザデータをユーザＤＢ（図２参照）から検索し、検索されたユーザデータのフィールド「販売者に対する評価」に格納されているデータが、評価１の数が１以上であることを示す場合、その販売中アイテムデータを検索結果から除外する。
【０１８４】
管理サーバ装置１３はステップＳ７０５において検索された販売中アイテムデータに含まれるアイテム名、アイテム紹介情報、販売残数、販売方法、現在価格、送料の扱い、決済代行、二段階決済、販売期間および購入者条件をリストとして表示し、リストに含まれる各アイテムに関する情報に対するリンク情報として検索された販売中アイテムデータに含まれるＵＲＬを含む検索結果ページのページデータを生成する（ステップＳ７０６）。
【０１８５】
管理サーバ装置１３は生成したページデータを端末装置１４ｑに送信する（ステップＳ７０７）。端末装置１４ｑは受信したページデータに従い、検索結果ページを表示する（ステップＳ７０８）。
【０１８６】
購入者ｑは、検索結果ページに表示されるリストの中に興味をひくアイテムに関する情報があれば、その情報の表示をクリックする。その操作に応じて、端末装置１４ｑはクリックされた情報にリンクされているＵＲＬに対し、ＣＧＭコンテンツの表示ページのページデータの送信要求を送信する。この場合、購入者ｑは販売者ａが販売中であるアイテムに関する情報をクリックし、端末装置１４ｑは情報配信サーバ装置１２ａに対し、販売者ａのブログページのページデータの送信要求を送信する（ステップＳ７０９）。
【０１８７】
情報配信サーバ装置１２ａは送信要求に応じて販売者ａのブログページのページデータを端末装置１４ｑに送信する（ステップＳ７１０）。端末装置１４ｑは受信したページデータに従い、販売者ａのブログページを表示する（ステップＳ７１１）。
【０１８８】
購入者ｑは、端末装置１４ｑに表示される販売者ａのブログページにおいて、販売者ａのブログコンテンツを読み、販売者ａの趣味・嗜好や、販売者ａが販売者として信頼できる人物であるか否かを判断するための情報を得ることができる。それらの情報に基づき購入者ｑが販売者ａのアイテムを購入することを決心した場合、購入者ｑは端末装置１４ｑに表示されているブログページ内のパーツのコマンドボタン「購入／入札」をクリックすることにより、そのアイテムの購入に要する手続きを行うことができる。
【０１８９】
以上がネット販売システム１の動作の説明である。
【０１９０】
［２．変形例］
上述した実施形態は、本発明の技術的思想の範囲で様々に変形することができる。以下に変形例を示す。
【０１９１】
上述した実施形態において、アイテムの販売者がアイテム販売用のパーツを自分のＣＧＭコンテンツの表示ページ内に追加するために利用されるパーツデータ引き渡し用ページ（図６参照）には、（１）販売者がパーツのソースコードの表示と、（２）パーツのソースコードを貼り付け用のデータとして端末装置１１に一時的に記憶させるためのコマンドボタンと、（３）パーツのソースコードをＣＧＭコンテンツの表示ページのソースコード内にドラッグアンドドロップするためのオブジェクトとしてのパーツのプレビューが表示される。パーツデータ引き渡し用ページはこれらの（１）〜（３）の全てを備える必要はなく、これらのいずれかを備えていればよい。
【０１９２】
また、パーツのソースコードをドラッグアンドドロップするためのオブジェクトとしてパーツのプレビュー表示を用いるのは一例であって、例えばパーツデータ引き渡し用ページにドラッグアンドドロップ用のアイコン表示を含め、販売者がそのアイコン表示をドラッグし、追加先のデータの表示位置にドロップすることにより、パーツのソースコードの追加を可能とする構成としてもよい。
【０１９３】
また、ドラッグアンドドロップはパーツのソースコードをＣＧＭコンテンツの表示ページのソースコードに追加するための操作方法の一例であって、他の操作方法を採用してもよい。
【０１９４】
また、ＣＧＭコンテンツを配信する情報配信サーバ装置１２が、ＣＧＭコンテンツの表示ページの編集ページにおいて、いわゆるＷＹＳＩＷＹＧ（Ｗｈａｔ  Ｙｏｕ  Ｓｅｅ  Ｉｓ  Ｗｈａｔ  Ｙｏｕ  Ｇｅｔ）編集を可能とするインタフェースをＣＧＭコンテンツの発信者に対し提供している場合、パーツデータ引き渡し用ページに表示されるドラッグアンドドロップ用のオブジェクト（パーツのプレビュー表示等）をドラッグし、そのインタフェース上にドロップすることにより、ＣＧＭコンテンツの表示ページに対するアイテム販売用のパーツの追加を可能とする構成としてもよい。
【０１９５】
上述した実施形態において、アイテム販売用のパーツがＣＧＭコンテンツの表示ページにおいて表示される際、販売済数、販売残数および現在価格がパーツ上に更新表示される。販売済数、販売残数および現在価格は更新表示される情報の種別の一例であって、例えばアイテムの購入者からの販売者に対するコメント等の他の種別の情報がパーツ上に更新表示される構成としてもよい。
【０１９６】
なお、上述した実施形態において、アイテム販売用のパーツがＣＧＭコンテンツの表示ページにおいて表示される際、販売期間中でないアイテムに関してはパーツ上に現在価格等の更新表示が行われない。これは単なる設計事項であって、例えば販売期間中でないアイテムに関してもパーツ上に現在価格等の更新表示が行われる構成としてもよい。
【０１９７】
上述した実施形態にかかるネット販売システム１に、販売を終了したアイテムや、販売を終了して所定時間が経過したアイテム等の不要となったアイテムに関するアイテム販売用のパーツを、ＣＧＭコンテンツの表示ページから自動的に削除、もしくは非表示とする機能を追加してもよい。
【０１９８】
不要となったアイテムに関するパーツをＣＧＭコンテンツの表示ページから自動的に削除する機能は、例えばＣＧＭコンテンツの表示ページのソースコードに、その表示ページが表示される際に所定の条件を満たすパーツのソースコード部分を自らのソースコードから削除することを指示するコードを含めることにより実現される。
【０１９９】
また、不要となったアイテムに関するパーツをＣＧＭコンテンツの表示ページにおいて非表示とする機能は、パーツのソースコードに、自らのソースコードに含まれる販売期間等の情報、もしくはパーツの表示時に更新データとして管理サーバ装置１３から取得される情報に関する所定の条件が満たされた場合、パーツを非表示とすることを指示するコードを含めることにより実現される。
【０２００】
上述した実施形態において、管理サーバ装置１３は決済サーバ装置１５と連携した決済処理等、アイテムの売買に伴う処理を自ら行う装置として機能する。上述した実施形態を変形して、アイテムの売買に伴う処理を自ら行う複数の第三者のサイト（オークションサイト、ＥＣサイト等）における出品情報や評価情報を販売者毎にとりまとめ、それらの情報を販売者のＣＧＭコンテンツの表示ページにおいて提供可能とするパーツを販売者に提供する装置として、管理サーバ装置１３を構成してもよい。
【０２０１】
そのような構成のシステムにおいて、例えばブログコンテンツの発信者である販売者ａがＥＣサイトａとＥＣサイトｂの２つのＥＣサイトにおいて同種のクロスバイクを各々５個ずつ販売する場合、管理サーバ装置１３はＥＣサイトａを提供しているサーバ装置およびＥＣサイトｂを提供しているサーバ装置から販売者ａが販売するクロスバイクに関する情報を取得し、またそれらの情報に更新があれば更新された情報を取得し、取得した情報を管理する。
【０２０２】
販売者ａは管理サーバ装置１３により生成される以下のような情報を表示するパーツを自分のブログページに貼り付ける。なお、下記の在庫数に関する情報は更新表示される部分である。また、各販売サイトの表示には、各販売サイトのＵＲＬがリンクされている。
「アイテム名：クロスバイク（新品）
金額：３２，０００円
販売サイト：ＥＣサイトａ  在庫５個
販売サイト：ＥＣサイトｂ  在庫４個」
【０２０３】
販売者ａのブログページを見てアイテムの購入を希望する者は、パーツ上に表示される「販売サイト：ＥＣサイトａ」もしくは「販売サイト：ＥＣサイトｂ」の部分をクリックすることにより、ＥＣサイトａもしくはＥＣサイトｂにアクセスし、いずれかのＥＣサイトにおいて希望するアイテムの購入手続きを行うことができる。
【０２０４】
上記のような構成のシステムによれば、複数の販売サイトを介して同種のアイテムを販売するＣＧＭコンテンツの発信者が、自分のＣＧＭコンテンツの表示ページにおいてそのアイテムの販売情報を発信できるだけでなく、自分の販売するアイテムの在庫数等の情報を、自分のＣＧＭコンテンツの表示ページを閲覧することにより一括管理することが可能となる。
【０２０５】
また、上記のような構成のシステムによれば、アイテムの購入者は、同じアイテムが同じ販売者により複数の販売サイトで販売されている場合に、いずれの販売サイトにおいて在庫があるか、といった情報をＣＧＭコンテンツの表示ページにおいて一覧することができる。
【０２０６】
上述した実施形態において、決済サーバ装置１５および配送管理サーバ装置１６が備える機能構成の一部もしくは全部を管理サーバ装置１３が備える構成としてもよい。
【０２０７】
上述した実施形態において、管理サーバ装置１３は汎用のサーバ装置にプログラムに従った処理を実行させることにより実現されるものとしたが、管理サーバ装置１３が備える機能構成を各々実現するハードウェアの組み合わせにより管理サーバ装置１３が実現されてもよい。
【符号の説明】
【０２０８】
１…ネット販売システム、１１…端末装置群、１２…情報配信サーバ装置群、１３…管理サーバ装置、１４…端末装置群、１５…決済サーバ装置、１６…配送管理サーバ装置、２１…プレビュー表示ボックス、２２…テキストボックス、２３…コマンドボタン。
【図１】
2010165048.tif 000003
【図２】
2010165048.tif 000004
【図３】
2010165048.tif 000005
【図４】
2010165048.tif 000006
【図５】
2010165048.tif 000007
【図６】
2010165048.tif 000008
【図７】
2010165048.tif 000009
【図８】
2010165048.tif 000010
【図９】
2010165048.tif 000011
【図１０】
2010165048.tif 000012
【図１１】
2010165048.tif 000013